(57)【要約】【課題】適切に広視野角表示ができるようにする。【解決手段】液晶表示装置は、複数のゲートライン２５、およびこれらゲートライン２５と交差するように設けられた複数のソースライン２４を有し、これら両線の各交差部に対応した画素毎に、画素電極２１と対向電極（共通電極）７と液晶層とを有する画素容量２２が形成される。液晶層の液晶分子は、液晶パネル全体として配向方向がランダムであり、かつ液晶層を挟持する基板と垂直な方向においてほぼ一定のツイスト角を示す。この液晶表示装置において、対向電極（共通電極）７に共通電極電圧を供給するとともに、この共通電極電圧を調整可能なＶｃｏｍ調整回路２６を備えている。【選択図】  図１
2004191581.tif 000002
【特許請求の範囲】
【請求項１】
複数の走査線、およびこれら走査線と交差するように設けられた複数の信号線を有し、これら両線の各交差部に対応した画素毎に、画素電極と共通電極と液晶層とを有する画素容量が形成され、前記液晶層の液晶分子は、液晶パネル全体として配向方向がランダムであり、かつ液晶層を挟持する基板と垂直な方向においてほぼ一定のツイスト角を示す液晶表示装置において、
前記共通電極に共通電極電圧を供給するとともに、この共通電極電圧を調整可能な共通電極電圧供給手段を備えていることを特徴とする液晶表示装置。
【請求項２】
各画素の前記共通電極は複数のグループに振り分けられ、
前記共通電極電圧供給手段は、共通電極電圧を前記グループごとに独立に調整可能であることを特徴とする請求項１に記載の液晶表示装置。
【請求項３】
前記画素容量として画素毎に少なくとも第１の画素容量と第２の画素容量とが設けられ、
前記共通電極電圧調整手段は、第１の画素容量に対応した共通電極へ供給する共通電極電圧と第２の画素容量に対応した共通電極へ供給する共通電極電圧とを独立に調整可能であることを特徴とする請求項１に記載の液晶表示装置。
【請求項４】
第２画素容量に対応した共通電極は複数のグループに振り分けられ、
前記共通電極電圧供給手段は、第１画素容量に対応した共通電極に各画素で共通の対向電極電圧を供給する一方、第２画素容量に対応した共通電極に供給する共通電極電圧を前記グループごとに独立に調整可能であることを特徴とする請求項３に記載の液晶表示装置。
【請求項５】
第１画素容量に対応した共通電極および第２画素容量に対応した共通電極はそれぞれ複数のグループに振り分けられ、
前記共通電極電圧供給手段は、第１画素容量に対応した共通電極に供給する共通電極電圧および第２画素容量に対応した共通電極に供給する共通電極電圧をそれぞれ前記グループごとに独立に調整可能であることを特徴とする請求項４に記載の液晶表示装置。
【請求項６】
前記グループ分けは、１を含むｎ走査線（ｎは正の整数）ごとに行われていることを特徴とする請求項２、４または５の何れか１項に記載の液晶表示装置。
【請求項７】
前記共通電極電圧供給手段は、前記走査線の並び方向における一方側の走査線に対応したグループに供給する共通電極電圧を基準共通電極電圧とし、前記走査線の並び方向における他方側の走査線に対応したグループには前記基準共通電極電圧とは異なる値の共通電極電圧を供給することを特徴とする請求項６に記載の液晶表示装置。
【請求項８】
前記共通電極電圧供給手段は、前記走査線の並び方向における中央部の走査線に対応した第１のグループに供給する共通電極電圧を基準共通電極電圧とし、前記走査線の並び方向における、一端側の走査線に対応する第２のグループには前記基準共通電極電圧よりも高い共通電極電圧を供給し、他端側の走査線に対応する第３のグループには前記基準共通電極電圧よりも低い共通電極電圧を供給することを特徴とする請求項６に記載の液晶表示装置。
【請求項９】
前記信号線に表示信号電圧を供給する信号線駆動手段を備え、
前記共通電極電圧供給手段は前記信号線駆動手段に内蔵されていることを特徴とする請求項１に記載の液晶表示装置。
【請求項１０】
前記共通電極電圧供給手段は、前記走査線の並び方向における一端側から中央側に向かって、画素の輝度が暗または明のうちの一方向へ漸次変化していくように、
前記グループへ供給する共通電極電圧を調整することを特徴とする請求項６に記載の液晶表示装置。
【請求項１１】
前記共通電極電圧供給手段は、共通電極電圧の調整量を入力操作可能な入力操作手段を備えていることを特徴とする請求項１から９の何れか１項に記載の液晶表示装置。
【請求項１２】
前記走査線を駆動する走査線駆動手段と、
前記走査線駆動手段に供給する、表示信号階調表示用の複数レベルの基準電圧を生成するとともに、この基準電圧を調整可能な基準電圧生成手段とを備えていることを特徴とする請求項１から１１の何れか１項に記載の液晶表示装置。
【請求項１３】
前記基準電圧生成手段は、前記走査線方向への画素の各並びにおける任意の並びにおいて所定のガンマ特性が得られるように前記基準電圧を調整することを特徴とする請求項１２に記載の液晶表示装置。
【請求項１４】
前記基準電圧の調整量を記憶する補正情報記憶手段を備え、
前記基準電圧生成手段は、前記補正情報記憶手段に記憶された調整量に基づいて、前記基準電圧の調整動作を行うことを特徴とする請求項１２に記載の液晶表示装置。
【請求項１５】
前記基準電圧生成手段は、走査線の並び方向における一方側の画素の並びと他方側の画素の並びとに異なるガンマ特性が得られるように、前記基準電圧を調整することを特徴とする請求項１３に記載の液晶表示装置。
【請求項１６】
前記基準電圧生成手段は、走査線の並び方向における一方側である第１の画素の並びと他方側である第２の画素の並びとこれら両者の間である第３の画素の並びにとにそれぞれ異なるガンマ特性が得られ、かつ第３の画素の並びのガンマ特性が第１の画素の並びのガンマ特性と第２の画素の並びのガンマ特性との間の特性となるように、前記基準電圧を調整することを特徴とする請求項１３に記載の液晶表示装置。
【請求項１７】
複数の走査線、およびこれら走査線と交差するように設けられた複数の信号線を有し、これら両線の各交差部に対応した画素毎に、画素電極と共通電極と液晶層とを有する画素容量が形成され、前記液晶層の液晶分子は、液晶パネル全体として配向方向がランダムであり、かつ液晶層を挟持する基板と垂直な方向においてほぼ一定のツイスト角を示す液晶表示装置の駆動方法において、
前記共通電極に共通電極電圧を供給し、かつこの共通電極電圧を調整することを特徴とする液晶表示装置の駆動方法。
【請求項１８】
各画素の前記共通電極を複数のグループに振り分け、前記共通電極電圧をそれらグループごとに独立に調整することを特徴とする請求項１７に記載の液晶表示装置の駆動方法。
【請求項１９】
表示信号階調表示用の複数レベルの基準電圧を生成し、かつこの基準電圧を調整することを特徴とする請求項１７または１８に記載の液晶表示装置の駆動方法。
【請求項２０】
走査線方向への画素の各並びにおける任意の並びにおいて所定のガンマ特性が得られるように前記基準電圧を調整することを特徴とする請求項１９に記載の液晶表示装置の駆動方法。
【発明の詳細な説明】
【０００１】
【発明の属する技術分野】
本発明は、液晶表示装置およびその駆動方法に関し、特に視野角の拡大を図った構成に関するものである。
【０００２】
【従来の技術】
液晶ディスプレイ（ＬＣＤ）はコンパクト性、低消費電力性等の特長によって需要が拡大しつつある。また、ＬＣＤは機能的にも大画面化、高精細化、多階調化に向け商品開発が進められている。
【０００３】
しかしながら、ＬＣＤはＣＲＴ等に比べて視野角、特に上下方向の視野角が狭い点が技術的課題となっている。この課題について以下に説明する。
【０００４】
例えば、現在、ＯＡ（Ｏｆｆｉｃｅ  Ａｕｔｏｍａｔｉｏｎ）用として多用されているノーマリーホワイトの透過型ＴＮ（ツィストネマティック）方式のＬＣＤでは、液晶に印加する電圧を変えることで輝度を制御している。即ち、液晶は偏光軸が直交するように配された２枚の偏光板に挟まれており、この液晶に印加する電圧を変えることで液晶分子の配向状態を変え、これにより、入射側の偏光板で直線偏光された光を楕円偏光させ、出射側の偏光軸方向の光のみを透過させることで輝度を制御している。
【０００５】
また、ＯＡ用のＬＣＤでは、薄膜トランジスタ（ＴＦＴ）側とカラーフィルタ（ＣＦ）側とでそれぞれ図４２（ａ）に示すような方向で配向膜にラビング処理が施され、これによってその方向に液晶分子を配向させている。
【０００６】
液晶は電圧を印加していないと、液晶分子が寝た状態（横になった状態）で捻れて配向する一方、電圧を印加すると液晶分子が縦方向に配向してくる。また、液晶分子は長軸方向と短軸方向とで屈折率が異なる。このため、液晶分子が寝た状態では光の伝播面で屈折率の異方性が生じるのに対し、立った状態では等方的になる。したがって、液晶への印加電圧により光の偏光の回転が異なる。この偏光の回転量は液晶分子の屈折率異方性（長軸方向の屈折率−短軸方向の屈折率）と液晶セルのギャップの積（リターデーション）で規定される。
【０００７】
液晶分子を図４２（ａ）の方向に配向させると、図４２（ｂ）に示すように、液晶分子は捻れた状態の配向となるため、リターデーションの異方性が現れる。この場合、図４２（ｃ）に示すように、左右方向は比較的対称な配向であるため、視野角も比較的広くなる。これに対し、図４２（ｄ）に示すように、上下方向は液晶分子の配向の非対称性が著しいため、視野角が狭くなる。即ち、液晶分子は、上側からみると横になった状態に見え、下側からみると立った状態に見える。その結果、上視野（θ＜０°）からは黒レベルの浮き出しが顕著となり、下視野（θ＞０°）からは、図４３に示すように、階調逆転が問題となる。この問題は、中間調が多用されるフルカラーのＬＣＤにおいて特に顕著となる。
【０００８】
従来のＬＣＤでの広視野角化は、ＴＦＴの形成工程および液晶パネルの製造工程の管理にさらなる注意を要し、かつ製造工程が複雑となり、結果的に歩留りの低下ひいてはコストの増大をもたらすという欠点がある。
【０００９】
この問題を解決する方法として、特開平６−１９４６５５号公報には、ラビング処理や配向膜を不要とする液晶表示装置の製造方法が開示されている。
【００１０】
この製造方法においては、セルの全面に亘って各々の配向方向がランダムかつ微小なミクロドメインの集合であるマルチドメイン液晶を利用し、表示画面全体において均一で視角依存性のない表示が得られるようにしている。
【００１１】
【特許文献１】
特開平６−１９４６５５号公報（公開日平成０６年０７月１５日）
【００１２】
【発明が解決しようとする課題】
ところが、上記従来の構成では、マルチドメイン液晶を利用し、表示画面全体において均一で視角依存性のない表示が得られるようにしているものの、マルチドメイン液晶全体においてこのような表示状態が得られる配向を完全に保証するのは困難であるという問題点を有している。
【００１３】
したがって、本発明は、適切に広視野角表示を可能とする液晶表示装置およびその駆動方法の提供を目的としている。
【００１４】
【課題を解決するための手段】
上記の課題を解決するために、本発明の液晶表示装置は、複数の走査線、およびこれら走査線と交差するように設けられた複数の信号線を有し、これら両線の各交差部に対応した画素毎に、画素電極と共通電極と液晶層とを有する画素容量が形成され、前記液晶層の液晶分子は、液晶パネル全体として配向方向がランダムであり、かつ液晶層を挟持する基板と垂直な方向においてほぼ一定のツイスト角を示す液晶表示装置において、前記共通電極に共通電極電圧を供給するとともに、この共通電極電圧を調整可能な共通電極電圧供給手段を備えていることを特徴としている。
【００１５】
また、本発明の液晶表示装置の駆動方法は、複数の走査線、およびこれら走査線と交差するように設けられた複数の信号線を有し、これら両線の各交差部に対応した画素毎に、画素電極と共通電極と液晶層とを有する画素容量が形成され、前記液晶層の液晶分子は、液晶パネル全体として配向方向がランダムであり、かつ液晶層を挟持する基板と垂直な方向においてほぼ一定のツイスト角を示す液晶表示装置の駆動方法において、前記共通電極に共通電極電圧を供給し、かつこの共通電極電圧を調整することを特徴としている。
【００１６】
上記の構成によれば、共通電極に供給する共通電極電圧を適宜調整することにより、表示画面に対する任意の位置からの視野角が広視野角となるように、画素の輝度の調整や画素の色変化の補正を行うことができる。これにより、適切に広視野角表示が可能となる。
【００１７】
また、上記のように、画素の輝度の調整や画素の色変化の補正は、共通電極に供給する共通電極電圧を調整することにより行っているので、ＴＦＴ製造工程を複雑にすること、あるいは駆動回路を作り変えることが不要である。したがって、低コストの構成にて高機能の液晶表示装置を得ることができる。さらに、液晶材料や液晶表示装置の特性に合わせて視角による色変化の補正を容易に行うことができるので、特性の異なる種々の液晶表示装置にも対応可能である。
【００１８】
上記の液晶表示装置において、各画素の前記共通電極は複数のグループに振り分けられ、前記共通電極電圧供給手段は、共通電極電圧を前記グループごとに独立に調整可能である構成としてもよい。
【００１９】
また、上記の液晶表示装置の駆動方法は、各画素の前記共通電極を複数のグループに振り分け、前記共通電極電圧をそれらグループごとに独立に調整する構成としてもよい。
【００２０】
上記の構成によれば、例えば上下方向での画面を見る位置によって視野角が異なるという特性の液晶表示装置に対して、共通電極を上記のようにグループ分けし、グループごとに共通電極電圧を調整することにより、例えば上下方向での画面を見る位置での視野角を適切に調整することができる。
【００２１】
上記の液晶表示装置は、前記画素容量として画素毎に少なくとも第１の画素容量と第２の画素容量とが設けられ、前記共通電極電圧調整手段は、第１の画素容量に対応した共通電極へ供給する共通電極電圧と第２の画素容量に対応した共通電極へ供給する共通電極電圧とを独立に調整可能である構成としてもよい。
【００２２】
画素容量として画素毎に少なくとも第１の画素容量と第２の画素容量とが設けられているマルチドメイン液晶表示装置に対して、適切な共通電極電圧の調整が可能となる。
【００２３】
上記の液晶表示装置において、第２画素容量に対応した共通電極は複数のグループに振り分けられ、前記共通電極電圧供給手段は、第１画素容量に対応した共通電極に各画素で共通の対向電極電圧を供給する一方、第２画素容量に対応した共通電極に供給する共通電極電圧を前記グループごとに独立に調整可能である構成としてもよい。
【００２４】
画素容量として画素毎に少なくとも第１の画素容量と第２の画素容量とが設けられているマルチドメイン液晶表示装置の共通電極に供給する共通電極電圧を簡単な構成にて調整可能である。
【００２５】
上記の液晶表示装置において、第１画素容量に対応した共通電極および第２画素容量に対応した共通電極はそれぞれ複数のグループに振り分けられ、前記共通電極電圧供給手段は、第１画素容量に対応した共通電極に供給する共通電極電圧および第２画素容量に対応した共通電極に供給する共通電極電圧をそれぞれ前記グループごとに独立に調整可能である構成としてもよい。
【００２６】
画素容量として画素毎に少なくとも第１の画素容量と第２の画素容量とが設けられているマルチドメイン液晶表示装置の共通電極に供給する共通電極電圧についての、即ち画素の表示状態についてのきめ細かな制御が可能となる。
【００２７】
上記の液晶表示装置において、前記グループ分けは、１を含むｎ走査線（ｎは正の整数）ごとに行われている構成としてもよい。
【００２８】
上記の液晶表示装置において、前記共通電極電圧供給手段は、前記走査線の並び方向における中央部の走査線に対応した第１のグループに供給する共通電極電圧を基準共通電極電圧とし、前記走査線の並び方向における、一端側の走査線に対応する第２のグループには前記基準共通電極電圧よりも高い共通電極電圧を供給し、他端側の走査線に対応する第３のグループには前記基準共通電極電圧よりも低い共通電極電圧を供給する構成としてもよい。
【００２９】
上記の構成によれば、走査線の並び方向における中央部の走査線に対応した第１のグループ、一端側の走査線に対応する第２のグループ、および他端側の走査線に対応する第３のグループにおいて表示特性が異なる液晶表示装置、例えば画面の上下方向等、走査線の並び方向に分割した３個の領域において表示特性が異なる液晶表示装置に対して、広視野角を得るための適切な調整が可能となる。
【００３０】
上記の液晶表示装置は、前記信号線に表示信号電圧を供給する信号線駆動手段を備え、前記共通電極電圧供給手段が前記信号線駆動手段に内蔵されている構成としてもよい。
【００３１】
上記の液晶表示装置において、前記共通電極電圧供給手段は、前記走査線の並び方向における一端側から中央側に向かって、画素の輝度が暗または明のうちの一方向へ漸次変化していくように、前記グループへ供給する共通電極電圧を調整する構成としてもよい。
【００３２】
上記の構成によれば、例えば画面の上下方向等、走査線の並び方向における一端側から中央側に向かって、画素の輝度が暗または明のうちの一方向へ漸次変化していくような特性を有する液晶表示装置に対して、広視野角が得られるように適切に輝度を調整することができる。
【００３３】
上記の液晶表示装置において、前記共通電極電圧供給手段は、共通電極電圧の調整量を入力操作可能な入力操作手段を備えている構成としてもよい。
【００３４】
上記の構成によれば、例えば、液晶表示装置に設けられた操作用のつまみ等（入力操作手段）を備えた構成とし、共通電極電圧の調整を容易にすることができる。
【００３５】
上記の液晶表示装置は、前記走査線を駆動する走査線駆動手段と、前記走査線駆動手段に供給する、表示信号階調表示用の複数レベルの基準電圧を生成するとともに、この基準電圧を調整可能な基準電圧生成手段とを備えている構成としてもよい。
【００３６】
また、上記の液晶表示装置の駆動方法は、表示信号階調表示用の複数レベルの基準電圧を生成し、かつこの基準電圧を調整する構成としてもよい。
【００３７】
上記の構成によれば、表示信号階調表示用の複数レベルの基準電圧を生成し、かつこの基準電圧を調整するようにしているので、多数の階調電圧を多数の抵抗素子やスイッチにより生成する構成に対して、階調表示のための回路の合理化や共有化により、同回路を簡素化することができる。
【００３８】
上記の液晶表示装置において、前記基準電圧生成手段は、前記走査線方向への画素の各並びにおける任意の並びにおいて所定のガンマ特性が得られるように前記基準電圧を調整する構成としてもよい。
【００３９】
上記の液晶表示装置の駆動方法は、走査線方向への画素の各並びにおける任意の並びにおいて所定のガンマ特性が得られるように前記基準電圧を調整する構成としてもよい。
【００４０】
上記の構成によれば、画素の輝度に加えて、走査線方向への画素の並びにおいて所定のガンマ特性が得られるので、さらに良好な表示が可能となる。
【００４１】
上記の液晶表示装置は、前記基準電圧の調整量を記憶する補正情報記憶手段を備え、前記基準電圧生成手段は、前記補正情報記憶手段に記憶された調整量に基づいて、前記基準電圧の調整動作を行う構成としてもよい。
【００４２】
上記の構成によれば、ガンマ特性の調整は、補正情報記憶手段に記憶された調整量を書き換えることにより容易に行うことができる。
【００４３】
上記の液晶表示装置において、前記基準電圧生成手段は、走査線の並び方向における一方側の画素の並びと他方側の画素の並びとに異なるガンマ特性が得られるように、前記基準電圧を調整する構成としてもよい。
【００４４】
上記の構成によれば、走査線の並び方向における一方側の画素の並びと他方側の画素の並びとに異なるガンマ特性が得られるので、表示状態についてさらにきめの細かい調整が可能となる。
【００４５】
上記の液晶表示装置において、前記基準電圧生成手段は、走査線の並び方向における一方側である第１の画素の並びと他方側である第２の画素の並びとこれら両者の間である第３の画素の並びにとにそれぞれ異なるガンマ特性が得られ、かつ第３の画素の並びのガンマ特性が第１の画素の並びのガンマ特性と第２の画素の並びのガンマ特性との間の特性となるように、前記基準電圧を調整する構成としてもよい。
【００４６】
表示画面の上下方向等、走査線の並び方向において、ガンマ特性を適切調整可能となり、さらに良好な表示を行うことができる。
【００４７】
【発明の実施の形態】
〔実施の形態１〕
本発明の実施の一形態を図面に基づいて以下に説明する。
図２は、本実施形態の液晶表示装置（ＴＦＴ液晶モジュール）１の構成を示すブロック図である。
【００４８】
この液晶表示装置１は、機能的には画像を表示する液晶表示部とそれを駆動する液晶駆動部（液晶駆動回路）とに分かれる。上記液晶表示部は、ＴＦＴ方式の液晶パネル８を有している。液晶パネル８は、図示しない液晶表示素子と後述の対向電極７とを備えている。
【００４９】
上記液晶駆動回路は、ソースドライバ（信号線駆動手段）２およびゲートドライバ（走査線駆動手段）３、コントローラ４および液晶駆動電源５を備えている。ソースドライバ２はＩＣ（Ｉｎｔｅｇｒａｔｅｄ  Ｃｉｒｃｕｉｔ）からなる複数のソースドライバ部１１、即ち第１〜第ｎソースドライバを備え、ゲートドライバ３は、同様にＩＣからなる複数のゲートドライバ部１２、即ち第１〜第ｍ部ゲートドライバを備えている。
【００５０】
ソースドライバ２およびゲートドライバ３は、一般的には、配線が形成されたフィルム上に先のＩＣチップを搭載した、例えばＴＣＰ（Ｔａｐｅ  Ｃａｒｒｉｅｒ  Ｐａｃｋａｇｅ）からなり、このＴＣＰが液晶パネル８のＩＴＯ（Ｉｎｄｉｕｍ  Ｔｉｎ  Ｏｘｉｄｅ；インジウムすず酸化膜）端子上に実装され、液晶パネル８と接続された構成となっている。あるいは、先のＩＣチップをＡＣＦ（Ａｎｉｓｏｔｒｏｐｉｃ  Ｃｏｎｄｕｃｔｉｖｅ  Ｆｉｌｍ  ；異方性導電膜）を介して直接、液晶パネル８のＩＴＯ端子に熱圧着して実装され、液晶パネル８と接続された構成となっている。
【００５１】
コントローラ４は、ソースドライバ２に表示データＤおよび制御信号（スタートパルスＳＰ等）を入力する一方、ゲートドライバ３には垂直同期信号ＶＳを入力する。さらに、ソースドライバ２およびゲートドライバ３に水平同期信号ＬＳを入力する。
【００５２】
図３には上記液晶パネル８の構成を示す。液晶パネル８には、画素電極２１、画素容量２２、画素電極２１への電圧印加をオン・オフ制御するＴＦＴ２３、ソースライン（信号線）２４、ゲートライン（走査線）２５および対向電極（共通電極）７が設けられている。ここで、画素電極２１、画素容量２２およびＴＦＴ２３によって１画素分の液晶表示素子Ａが構成される。
【００５３】
対向電極７は、図１に示すように、１を含むｅ本（ｅは正の整数）のゲートライン２５ごとに順次、異なるグループに振り分けられている。あるいは、隣り合う複数本のゲートライン２５ごとにグループ分けされている。これら各グループの対向電極７には、ソースドライバ２に内蔵されたＶｃｏｍ調整回路（共通電極電圧供給手段）２６よりそれぞれ独立に対向電極電圧Ｃが与えられる。
【００５４】
例えば、液晶パネル８の全ての対向電極７が、第１グループ７（Ａ）、第２グループ７（Ｂ）および第３グループ７（Ｃ）にグループ振り分けられている場合、Ｖｃｏｍ調整回路２６からは、これら第１〜第３グループの対向電極７に対して、それぞれ対向電極電圧Ｃ１，Ｃ２，Ｃ３が与えられる。
【００５５】
上記の構成において、液晶表示装置１における表示動作について説明する。
外部から入力された表示データは、コントローラ４を介してデジタル信号である表示データＤとしてソースドライバ２に入力される。ソースドライバ２は、入力された表示データＤを時分割して第１ソースドライバ〜第ｎソースドライバにラッチし、その後、コントローラ４から入力される水平同期信号ＬＳに同期してＤＡ変換する。そして、時分割された表示データＤをＤＡ変換して成る階調表示用のアナログ電圧（以下、階調表示電圧と称する）を、ソースライン２４を介して、液晶パネル８の対応する液晶表示素子に出力する。
【００５６】
上記ソースライン２４には、ソースドライバ２から、表示対象画素の明るさに応じた上記階調表示電圧が与えられる。一方、ゲートライン２５には、ゲートドライバ３から、列方向に並んでＴＦＴ２３を順次オンするような走査信号が与えられる。そして、オン状態のＴＦＴ２３を介して、当該ＴＦＴ２３のドレインに接続された対向電極７にソースライン２４の階調表示電圧が印加され、対向電極７と画素電極２１との間の画素容量２２に蓄積される。こうして、液晶の光透過率を上記階調表示電圧に応じて変化させて画素表示が行なわれる。また、本実施の形態においてはソースドライバに内蔵されたＶｃｏｍ調整回路２６より、第１グループ７（Ａ）、第２グループ７（Ｂ）および第３グループ７（Ｃ）の３組の対向電極７にそれぞれ対向電極電圧Ｃ１，Ｃ２，Ｃ３が与えられる。
【００５７】
図４および図５には一般的な液晶駆動波形の一例を示す。同図において、３１，３５はソースドライバ２から出力される駆動波形であり、３２，３６はゲートドライバ３から出力される駆動波形である。また、３３，３７は対向電極７の電位であり、３４，３８は画素電極２１の電圧波形である。なお、液晶層に印加される電圧は、画素電極２１と対向電極７との電位差であり、図中においては斜線で示している。
【００５８】
例えば、図４の場合には、ゲートドライバ４の駆動波形３２のレベルがＨｉｇｈレベルの期間だけＴＦＴ２３がオンし、ソースドライバ３の駆動波形３１と対向電極７の電位３３との差の電圧が画素電極２１に印加される。その後、ゲートドライバ４の駆動波形３２のレベルはＬｏｗレベルとなり、ＴＦＴ２３はオフ状態となる。この場合、画素には画素容量２２が存在するために、上述の電圧が維持される。
【００５９】
図５の場合の動作も同様である。但し、図４と図５とでは液晶層に印加される電圧が異なり、図４の場合には図５の場合と比べて印加電圧が高くなっている。
【００６０】
液晶表示装置１では、このように液晶層に印加する電圧をアナログ電圧として変化させることにより、液晶の光透過率をアナログ的に変化させ、多階調表示を実現している。
【００６１】
さらに、液晶表示装置１は、特に上下方向による液晶の配向の非対称性が著しく、視野角が狭くなるという問題に対し、前述のように、対向電極７を複数のグループ（７（Ａ），７（Ｂ），７（Ｃ）…）に分割し、ソースドライバ２が備えるＶｃｏｍ調整回路２６から上記各グループの対向電極７に対して異なる対向電極電圧Ｃ１，Ｃ２，Ｃ３…を印加する構成となっている。これにより、各視角において最適視野が得られるように輝度特性を変化させることができ、視角の違いによって生じる色変化を補正することが可能となっている。なお、本実施の形態において、「視角」は表示画面の法線に対する視線（視軸）のなす角度として使用している。また、「最適視野」は、見る人の視線方向において画面の見える状態が均一になるような視野として使用している。
【００６２】
図６は図２に示したソースドライバ２におけるソースドライバ部（第ｎソースドライバ）１１の構成の一例を示すブロック図である。
【００６３】
同図において、ソースドライバ部１１では、表示画面での表示に必要な表示データＤ（ＤＲ、ＤＧ、ＤＢ）がシリアルに入力され、この表示データＤを入力ラッチ回路４７にて一時的にラッチする。その後、サンプリングメモリ回路４２にて、上記シフトレジスタ回路４１の各段の出力信号により、時分割で送られてくる表示データＤをサンプリングし、次のホールドメモリ回路４３の対応する段に出力する。Ｓはカスケード出力である。
【００６４】
ホールドメモリ回路４３は、液晶パネル８における各行に含まれる第１〜第ｎの画素、即ち第１〜第ｎのソースライン２４にそれぞれ対応している。
【００６５】
ホールドメモリ回路４３に入力された表示データＤは、水平同期信号ＬＳによりラッチされる。これにより、次の水平同期信号ＬＳが入力されるまで、ホールドメモリ回路４３から出力される表示データＤは固定される。
【００６６】
ホールドメモリ回路４３から出力される表示データＤは、レベルシフタ回路４４で次段のＤＡ変換回路４５の信号処理レベルに合わせるための昇圧等のレベル変換が施され、ＤＡ変換回路４５に入力される。
【００６７】
基準電圧発生回路４８は、参照電圧ＶＲに基づき各レベルの基準電圧を発生させる。具体的には、画素に付与すべき電位が図示しない電源回路から入力されると、この電位を内部で分圧することにより、例えば６４階調表示の場合に６４種類の階調表示用電位を発生し、ＤＡ変換回路４５に対して出力する。ＤＡ変換回路４５では、レベルシフタ回路４４からの表示データＤに応じた階調表示用電位を上記６４種類の階調表示用電位の中から画素ごとに１つ選択し、出力回路４６に対して出力する。
【００６８】
出力回路４６は、差動増幅器等からなる低インピーダンス変換部であり、液晶パネル８の第１〜第ｎのソースライン２４それぞれに対して、ＤＡ変換回路４５で選択された階調表示用電位を付与する。この階調表示用電位は、水平同期信号ＬＳの１周期、即ち１水平同期期間維持され、次の水平同期期間には新たな表示データＤに応じた階調表示用電位が出力される。
【００６９】
一方、ゲートドライバ３は、シフトレジスタ回路、レベルシフタ回路、および出力回路を含んでいる。ゲートドライバ３では、シフトレジスタ回路に水平同期信号ＬＳおよび垂直同期信号ＶＳが入力され、水平同期信号ＬＳをクロックとして垂直同期信号ＶＳをシフトレジスタ回路内の各段で順次転送させる。
【００７０】
シフトレジスタ回路の各段からの出力は、液晶パネル８における各列に含まれる第１〜第ｍの画素、つまり第１〜第ｍのゲートライン２５にそれぞれ対応している。シフトレジスタ回路の各段からの出力は、レベルシフタ回路でレベル変換されることにより、各画素が有するＴＦＴ２３のゲートを制御できる電圧まで昇圧される。さらに、出力回路で低インピーダンス変換されて、出力回路から液晶パネル８の第１〜第ｍのゲートライン２５それぞれに対して出力される。このゲートドライバ３からの出力は走査信号となり、この走査信号により、液晶パネル８の各画素におけるＴＦＴ２３のゲートのオン／オフが制御される。
【００７１】
以下に、液晶表示装置１のソースドライバ部１１の動作について説明する。
コントローラ４から送られてくる表示データＤ（ＤＲ、ＤＧ、ＤＢ）は各６ビットの値を有しており、入力ラッチ回路４７にて一旦ラッチされる。
【００７２】
シフトレジスタ回路４１は、コントローラ４からスタートパルス信号ＳＰをシフト、すなわち転送する回路である。スタートパルス信号ＳＰは、コントローラ４の端子から出力され、シフトレジスタ回路４１においてクロック信号ＣＫによりシフトされる。
【００７３】
シフトレジスタ回路４１にてシフトされたスタートパルス信号ＳＰは、例えば８個のソースドライバ部１１が使用されている場合、８段目である第８ソースドライバ部１１のシフトレジスタ回路４１にまで順次転送される。
【００７４】
なお、シフトレジスタ回路４１から出力回路４６までの各ブロックは、液晶パネル８における第１〜第ｎのｎ本のソース電極に対応してｎ段となっている。このシフトレジスタ回路４１の各段からの出力に同期して、入力ラッチ回路４７にラッチされていた表示データＤは、サンプリングメモリ回路４２の対応する段に一旦記憶されるとともに、次のホールドメモリ回路４３の対応する段に出力される。
【００７５】
ホールドメモリ回路４３は、１水平同期期間にｎ個の表示データＤがサンプリングメモリ回路４２から入力されると、コントローラ４からの水平同期信号ＬＳ（ラッチ信号ともいう）により、サンプリングメモリ回路４２から表示データＤを取り込み、次のホールドメモリ回路４３に出力する。そして、ホールドメモリ回路４３は、次の水平同期信号ＬＳが入力されるまでこの表示データＤを維持する。その後の動作は、上述した通りである。
【００７６】
なお、コントローラ４は、表示データＤを入力ラッチ回路４７に対して繰り返し送る。これにより、液晶パネル８に対して周期的に表示データＤに応じた電位が書き込まれ、液晶パネル８における表示が維持される。
【００７７】
基準電圧発生回路４８は、後述するように、赤、緑、青色用の液晶駆動電圧出力端子に対し、６４通りの基準電圧を作成し階調表示用の中間電圧を生成するものである。この回路４８に入力される電圧ＶＲは、外部の液晶駆動電源から供給される電圧である。
【００７８】
ＤＡ変換回路４５は、ホールドメモリ回路４３より出力され、レベルシフタ回路４４にて変換されたＲＧＢそれぞれ６ビットの表示データ信号（デジタル信号）を６４通りの中間電圧に基づいて、アナログ信号に変換して出力回路４６に出力する。
【００７９】
出力回路４６は、６４レベルのアナログ信号を増幅し、液晶パネル８へ階調表示電圧として出力する。
【００８０】
図７は、各ソースドライバ部１１が備えるＶｃｏｍ調整回路２６の１構成例を示す概略ブロック図である。このＶｃｏｍ調整回路２６は、電圧降下を発生させるための１つの抵抗素子Ｒと、２個の定電流源５１，５２と、バッファアンプ５３とを備えている。このＶｃｏｍ調整回路２６では、抵抗素子Ｒに電流を流すことによる電圧降下を利用し、入力された電圧を一定の電圧だけ上下にシフトすることによってＶｃｏｍ電圧を調整する。このような構成を有するＶｃｏｍ調整回路２６は次のように動作する。
【００８１】
Ｖｃｏｍ調整回路２６の入力端子５４には、例えば基準となる電圧Ｖｃｏｍ（Ｖｒｅｆ）が供給される。そして、基準電圧Ｖｃｏｍ（Ｖｒｅｆ）よりも高い出力電圧あるいは低い出力電圧を得る場合には、定電流源５１，５２によって抵抗素子Ｒに流れる電流を変化させ、抵抗素子Ｒによる電圧降下を利用して、入力された電圧を抵抗素子Ｒでの電圧降下の分だけ上または下にシフトした電圧Ｖｏｕｔを出力端子５５から出力する。
【００８２】
即ち、Ｖｃｏｍ調整回路２６は、基準電圧Ｖｃｏｍ（Ｖｒｅｆ）よりも高い出力電圧Ｖｏｕｔを得る場合には、Ｖｏｕｔ＝Ｖｒｅｆ＋ｉ・Ｒになるように、また、基準電圧Ｖｃｏｍ（Ｖｒｅｆ）よりも低い出力電圧Ｖｏｕｔを得る場合には、Ｖｏｕｔ＝Ｖｒｅｆ−ｉ・Ｒになるように電圧を調整する。
【００８３】
図８は、上記基準電圧Ｖｃｏｍ（Ｖｒｅｆ）よりも高い出力電圧Ｖｏｕｔを得る場合（図８（ａ））、および基準電圧Ｖｃｏｍ（Ｖｒｅｆ）よりも低い出力電圧Ｖｏｕｔを得る場合（図８（ｂ））に、定電流源５１，５２の動作によって抵抗素子Ｒを流れる電流が変化した状態を示す。
【００８４】
この場合、図８（ａ）に示すように、抵抗素子Ｒよりも入力端子５４側にある定電流源５１を接地し、出力端子５５側にある定電流源５２を電源に接続することによって、抵抗素子Ｒには定電流源５２から定電流源５１に向う正の向きの電流ｉが流れる。その結果、入力端子５４から基準電圧Ｖｃｏｍ（Ｖｒｅｆ）が入力された場合の出力端子５５からの出力電圧Ｖｏｕｔは、基準電圧Ｖｃｏｍ（Ｖｒｅｆ）よりも抵抗素子Ｒでの電圧降下の分だけ高いＶｏｕｔ＝Ｖｒｅｆ＋ｉ・Ｒとなる。
【００８５】
一方、図８（ｂ）に示すように、定電流源５１を電源に接続し、定電流源５２を接地することによって、抵抗素子Ｒには定電流源５１から定電流源５２に向う負の向きの電流ｉが流れる。その結果、入力端子５４から基準電圧Ｖｃｏｍ（Ｖｒｅｆ）が入力された場合の出力端子５５からの出力電圧Ｖｏｕｔは、基準電圧Ｖｃｏｍ（Ｖｒｅｆ）よりも抵抗素子Ｒでの電圧降下の分だけ低いＶｏｕｔ＝Ｖｒｅｆ−ｉ・Ｒとなる。
【００８６】
各Ｖｃｏｍ調整回路２６では、定電流源５１，５２において電流値を複数値に切り換え可能であり、さらに接地と電源への接続とを切り換え可能である。したがって、上記の各切り換えを上記の調整データ（ＤＬ）に基づいて制御することにより、対向電極電圧を微調整することができる。
【００８７】
なお、上記調整データは、外部からＶｃｏｍ調整回路２６のデータラッチ回路５６（図９参照）に入力してラッチさせる。データラッチ回路５６はフラッシュメモリ、ＦＲＡＭ等の不揮発性メモリからなるものであってもよい。
【００８８】
図９は、Ｖｃｏｍ調整回路２６の定電流源５１，５２に相当するもの（抵抗素子Ｒを含む）であって、電流値の切り換え、および接地／電源の接続切り換えを可能とする定電流源部の回路構成を示す。
【００８９】
この定電流源部は、電源に接続されるとともに、ｎを正の整数として、２（ｎ−１）で重み付けされた電流２（ｎ−１）ｉを発生する５個の定電流源ｉ，２ｉ，４ｉ，８ｉ，１６ｉを有する。そして、それぞれの定電流源２（ｎ−１）ｉは、＋２（ｎ−１）の制御信号によってオンするスイッチ＋２（ｎ−１）を介して、抵抗素子Ｒの一端および出力端子５５に接続されている。さらに、−２（ｎ−１）の制御信号によってオンするスイッチ−２（ｎ−１）を介して、抵抗素子Ｒの他端および入力端子５４に接続されている。
【００９０】
また、上記定電流源は、同様に、接地されるとともに、ｎを正の整数として、上記２（ｎ−１）で重み付けされた電流２（ｎ−１）ｉを発生する５個の定電流源ｉ，２ｉ，４ｉ，８ｉ，１６ｉを有する。そして、それぞれの定電流源２（ｎ−１）ｉは、＋２（ｎ−１）の制御信号によってオンするスイッチ＋２（ｎ−１）を介して、抵抗素子Ｒの上記他端および入力端子５４に接続されている。さらに、−２（ｎ−１）の制御信号によってオンするスイッチ−２（ｎ−１）を介して、抵抗素子Ｒの上記一端および出力端子５５に接続されている。
【００９１】
即ち、上記定電流源部において、上記スイッチ＋２（ｎ−１）またはスイッチ−２（ｎ−１）を介して入力端子５４に接続された定電流源２（ｎ−１）ｉは、図８（ａ）（ｂ）における定電流源５１として機能し、スイッチ＋２（ｎ−１）あるいはスイッチ−２（ｎ−１）を介して出力端子５５に接続された定電流源２（ｎ−１）ｉは図８（ａ）（ｂ）における定電流源５２として機能する。そして、上記データラッチ回路５６にラッチされている２の補数表現による符号付２進数の多ビットディジタルデータである調整データに基づいて、各スイッチ＋２（ｎ−１）およびスイッチ−２（ｎ−１）のオン／オフを制御することによって、定電流源５１，５２に関する電流値の切り換えおよび電源／接地の接続切り換えを可能とする。
【００９２】
このような構成により、上記抵抗素子Ｒを流れる電流の値と方向とを変化させることがきで、入力電圧Ｖｉｎに対して抵抗素子Ｒに流れる電圧降下の分だけ上または下に複数段にシフトした電圧Ｖｏｕｔを出力することができる。この機能に関し、以下に具体例を挙げて説明する。
【００９３】
以下の説明は、上記調整データ（ＤＬ）が６ビットデータであるものとして行う。このような６ビットで表わされる調整データに基づく調整は、−３２〜＋３１の６４段階で行うことが可能である。
【００９４】
図９において、上記定電流源ｉ，２ｉ，４ｉ，８ｉ，１６ｉのそれぞれは、２（ｎ−１）で重み付けされた電流値ｉ，２ｉ，４ｉ，８ｉ，１６ｉを発生する。また、上記各スイッチ＋２（ｎ−１）およびスイッチ−２（ｎ−１）は、上記、調整データ（ＤＬ）に基づいてオンあるいはオフされる。以下、６ビットの調整データに基づくＶｃｏｍ調整回路２６の動作を説明する。
【００９５】
第１の場合として、調整データ（ＤＬ）が「＋１：（０００００１）」の場合について述べる。この場合には２つのスイッチ＋２０のみがオンし、他の総てのスイッチはオフする。これは図８（ａ）の状態である。
【００９６】
即ち、抵抗素子Ｒに流れる電流Ｉｔｏｔａｌは定電流源ｉと同じであり、電流の向きは正である。したがって、出力電圧Ｖｏｕｔは入力された基準電圧Ｖｉｎよりも抵抗素子Ｒでの電圧降下分だけ上昇し、Ｖｏｕｔ＝Ｖｉｎ＋ｉ×Ｒの出力電圧が得られる。これは、入力基準電圧Ｖｉｎよりも（ｉ×Ｒ）だけ高い電圧である。
【００９７】
また、他の場合として、調整データ（ＤＬ）が「−９：（１０２１）」の場合について説明する。この場合には、２つのスイッチ−２３および２つのスイッチ−２Ｏの合計４つのスイッチがオンし、他の総てのスイッチはオフする。これは図８（ｂ）の状態である。
【００９８】
即ち、抵抗素子Ｒに流れる電流Ｉｔｏｔａｌは定電流源ｉと定電流源８ｉとの電流の和である９ｉとなり、電流の向きは負である。したがって、出力電圧Ｖｏｕｔは入力された基準電圧Ｖｉｎよりも抵抗素子Ｒでの電圧降下分だけ下降し、Ｖｏｕｔ＝Ｖｉｎ−９ｉ×Ｒの出力電圧が得られる。これは、入力基準電圧Ｖｉｎよりも（ｉ×Ｒ）の９倍だけ低い電圧である。
【００９９】
即ち、上記調整データとして２の補数表現による符号付２進数の多ビットディジタルデータを用いることによって、そのビット番号ｎと抵抗素子Ｒに流す電流値の重み（倍率）２（ｎ−１）とをスイッチ＋２（ｎ−１），−２（ｎ−１）を介して対応付けることができる。したがって、調整データ（ＤＬ）に応じた倍率の調整量を得ることができることになる。つまり、上記調整データ（ＤＬ）によって上記基準値の調整量を簡単に指定することができる。
【０１００】
さらに、本実施形態の液晶表示装置１では、液晶パネルにおいて特に上下方向での液晶の配向の非対称性が著しく、視野角が狭くなるという問題を解決している。このために、液晶表示装置１では、対向電極７を複数のグループ群に分割し、ソースドライバに内蔵されたＶｃｏｍ調整回路２６によって出力される対向電極電圧Ｃ１，Ｃ２，Ｃ３…を、任意の対向電極７ラインへ印加させている。これにより、各視角において最適視野が得られるように輝度特性を変化させることができ、視角の違いによって生じる色変化を補正することが可能となっている。
【０１０１】
図１０および図１１には液晶駆動波形の一例を示す。同図において、図４および図５の場合と同様、３１，３５はソースドライバ２から出力される駆動波形であり、３２，３６はゲートドライバ３から出力される駆動波形である。
【０１０２】
また、６１，６２は対向電極７へ印加される極駆動電位（対向電極電圧Ｃ）であり、対向電極の第１グループ７（Ａ）〜第３グループ７（Ｃ）の３組の対向電極には、Ｖｃｏｍ調整回路２６から出力された対向電極電圧Ｃ１〜Ｃ３が印加される。即ち、対向電極７の第１グループ７（Ａ）には対向電極電圧Ｃ１が、第２グループ７（Ｂ）には対向電極電圧Ｃ２が、第３グループ７（Ｃ）には対向電極電圧Ｃ３が与えられる。
【０１０３】
第２グループ７（Ｂ）には基準となる対向電極電圧Ｃ２（Ｖｒｅｆ）が印加される。そして、第１グループ７（Ａ）に印加される対向電極電圧Ｃ１と第３グループ７（Ｃ）に印加される対向電極電圧Ｃ３は、上記の対向電極電圧Ｃ２（Ｖｒｅｆ）を基準として、これよりも一方が高い電圧に設定され、他方が低い電圧に設定される。これより、液晶パネル８の上下方向において、より広範囲で視野角特性を変えることが可能となる。なお、図１０および図１１に示した対向電極駆動電位６１，６２は、上記の対向電極電圧Ｃ１〜Ｃ３に対応し、所定の幅を持った電位として記載している。
【０１０４】
ここで、例えば前述した図４の液晶駆動波形の場合と図１０の液晶駆動波形の場合とを対比して説明する。
【０１０５】
図４の液晶駆動波形の場合には、ゲートドライバ４の駆動波形３２のレベルがＨｉｇｈの期間だけＴＦＴ２３がオンし、ソースドライバ３の駆動波形３１と対向電極７の電位３３との差の電圧が画素電極２１に印加される。その後、ゲートドライバ４の駆動波形３２のレベルはＬｏｗとなり、ＴＦＴ２３はオフ状態となる。この場合、画素では、画素容量２２が存在するために、上記の電圧が維持される。
【０１０６】
図１０の液晶駆動波形の場合には、ＴＦＴ２３のＯＮ／ＯＦＦ動作等、基本的動作は同じであるものの、全ての対向電極７に対して同一の電位が付与されるのではなく、例えば対向電極７の前記グループ同士で異なる電位が印加されることにより、液晶パネル８での表示状態が上記の図４の場合とは異なる。
【０１０７】
例えば図１２は、Ｖｃｏｍ調整回路２６から対向電極７の第１グループ７（Ａ）〜第３グループ７（Ｃ）に対して、異なる対向電極電圧Ｃ１〜Ｃ３を印加した場合の各画素ドットにおける電位の状態の一例を示している。
【０１０８】
同図において、斜線の無い部分の画素ドット（図中最上行と最下行との間の４行の画素ドット）には基準となる対向電極電圧Ｃ２が対向電極７へ供給されており、斜線部分の画素ドット（図中最上行と最下行の画素ドット）には、対向電極電圧Ｃ２とは異なる対向電極電圧Ｃ１，Ｃ３が供給されている。なお、同図中の＋−はドット反転駆動方式により画素ドットへの印加電圧の極性を反転していることを示している。また、図中の１升は１画素ドットを表している。
【０１０９】
また、図１３は図１２で示した駆動状態における連続する２つのフレーム（フレームｎ、フレームｎ＋１）に対応した画素ドットの一例であって、フレームごとに対向電極電圧Ｃを変えた場合である。
【０１１０】
液晶表示装置１では、上記のように対向電極７のグループごとに対向電極電圧Ｃが異なるように制御しているので、液晶パネル８の上下方向において、適切に広視野角表示を行うことができる。
【０１１１】
以上の例では、１フレーム内における任意の対向電極７のラインに対して、基準となる対向電極電圧Ｃとは電位の異なる２種類の対向電極電圧Ｃを与えることにより、液晶パネル８の上下方向の広視野角化を図っている。しかしながら、基準の対向電極電圧Ｃに対して３種類以上の対向電極電圧Ｃを任意の対向電極７のラインに対して与えるものであってもよい。
【０１１２】
次に、本発明の構成をマルチドメイン液晶パネルに適用した例について示す。
【０１１３】
図１４に示すように、マルチドメイン液晶パネル１０８では、ソースライン１２４、ゲートライン１２５およびＴＦＴ１２３の配置は前記ソースライン２４、ゲートライン２５およびＴＦＴ２３と同じであるものの、２個の画素容量１２２ａ，１２２ｂを有し、これら画素容量１２２ａ，１２２ｂの画素電極１２１がＴＦＴ１２３のドレインと接続されている。なお、画素電極１２１、画素容量１２２ａ，１２２ｂおよびＴＦＴ１２３によって１画素分の液晶表示素子Ａが構成される。
【０１１４】
このマルチドメイン液晶パネル１０８は、一つの液晶表示素子Ａ内において、対向電極を画素容量１２２ａに対応する対向電極１０７ａと画素容量１２２ｂに対応する対向電極１０７ｂとに分割し、それらを独立して制御するようになっている。
【０１１５】
図１５には上記マルチドメイン液晶パネル１０８の構成例を示す。このマルチドメイン液晶パネル１０８では、前記液晶パネル８と同様、対向電極１０７ａ，１０７ｂが、１を含むｅ本（ｅは正の整数）のゲートライン２５ごとに順次、異なるグループに振り分けられている。あるいは、隣り合う複数本のゲートライン２５ごとにグループ分けされている。ここでは、対向電極１０７ａ，１０７ｂは、液晶パネル８の場合と同様、例えば第１グループ１０７（Ａ）、第２グループ１０７（Ｂ）および第３グループ１０７（Ｃ）にグループ分けされている。
【０１１６】
また、前記ソースドライバ２に対応するソースドライバ１０２および前記ゲートドライバ３に対応するゲートドライバ１０３を備え、ソースドライバ１０２はＶｃｏｍ調整回路１２６を備えている。このＶｃｏｍ調整回路１２６は前記Ｖｃｏｍ調整回路２６に対応した構成を有し、少なくとも対向電極電圧Ｃ１〜Ｃ４を出力可能となっている。このＶｃｏｍ調整回路１２６は、Ｖｃｏｍ調整回路２６と同様、出力する対向電極電圧Ｃ１〜Ｃ４の値を調整可能である。
【０１１７】
このマルチドメイン液晶パネル１０８において、Ｖｃｏｍ調整回路１２６から各グループの対向電極１０７ａには共通に対向電極電圧Ｃ３が与えられる。さらに、Ｖｃｏｍ調整回路１２６から、第１グループ１０７（Ａ）の対向電極１０７ｂには対向電極電圧Ｃ４が与えられ、第２グループ１０７（Ｂ）の対向電極１０７ｂには対向電極電圧Ｃ５が与えられ、第３グループ１０７（Ｃ）対向電極１０７ｂには対向電極電圧Ｃ６がそれぞれ与えられる。
【０１１８】
このように、マルチドメイン液晶パネル１０８では、対向電極１０７ｂに印加される対向電極電圧Ｃがグループごとに独立して制御される。これにより、前記液晶パネル８と同様、上下方向において広視野角表示が可能となっている。
【０１１９】
図１６には、対向電極１０７ａ，１０７ｂが、１を含むｅ本（ｅは正の整数）のゲートライン２５ごとに順次、異なるグループに振り分けられ、対向電極１０７ａと対向電極１０７ｂとに印加する対向電極電圧Ｃをグループごとに独立して制御する構成のマルチドメイン液晶パネル２０８を示す。
【０１２０】
この場合、ソースドライバ２０２が備えるＶｃｏｍ調整回路２２６は、前記Ｖｃｏｍ調整回路２６に対応した構成を有し、少なくとも対向電極電圧Ｃ１〜Ｃ６を出力可能となっている。このＶｃｏｍ調整回路２２６は、出力する対向電極電圧Ｃ１〜Ｃ６の値を調整可能である。
【０１２１】
このマルチドメイン液晶パネル２０８では、対向電極１０７ａ，１０７ｂが例えば第１グループ２０７（Ａ）、第２グループ２０７（Ｂ）および第３グループ２０７（Ｃ）にグループ分けされている。このマルチドメイン液晶パネル１０８において、Ｖｃｏｍ調整回路２２６から、第１グループ２０７（Ａ）の対向電極１０７ａには対向電極電圧Ｃ３が与えられ、第２グループ２０７（Ｂ）の対向電極１０７ａには対向電極電圧Ｃ２が与えられ、第３グループ２０７（Ｃ）の対向電極１０７ａには対向電極電圧Ｃ１が与えられる。また、Ｖｃｏｍ調整回路２２６から、第１グループ２０７（Ａ）の対向電極１０７ｂには対向電極電圧Ｃ４が与えられ、第２グループ２０７（Ｂ）の対向電極１０７ｂには対向電極電圧Ｃ５が与えられ、第３グループ２０７（Ｃ）の対向電極１０７ｂには対向電極電圧Ｃ６が与えられる。
【０１２２】
このように、マルチドメイン液晶パネル２０８では、対向電極１０７ａ，１０７ｂに印加される対向電極電圧Ｃがグループごとに独立して制御される。これにより、前記液晶パネル８と同様、上下方向において広視野角表示が可能となっている。
【０１２３】
〔実施の形態２〕
本発明の実施の他の形態を図面に基づいて以下に説明する。
図１７は、本実施形態の液晶表示装置（ＴＦＴ液晶モジュール）５０１の構成を示すブロック図である。なお、同図では主な構成要素および信号経路のみを図示し、例えば、電源回路や、クロック信号、リセット信号、セレクト信号等の一部の信号の経路については省略している。
【０１２４】
液晶表示装置５０１は、液晶パネル５１０（対向電極７を含む）、ソースドライバ５１２、ゲートドライバ５１３、およびコントロール回路としてのＭＰＵ（マイクロプロセッサユニット）５１４を備えている。
【０１２５】
液晶パネル５１０は、ｎ本のソースライン２４およびｍ本のゲートライン２５に形成される（水平方向ｎ画素）×（垂直方向ｍ画素）のＴＦＴ方式の画素を有するものである。
【０１２６】
なお、以下では水平方向１ラインの画素の配列を「行」と称し、垂直方向１ラインの画素の配列を「列」と称する。ここでは、ｎ＝１０２８×ＲＧＢ，ｍ＝９００であり、各画素において第０階調〜第６３階調の６４階調（６ビット）の階調表示を行うものとする。なお、各行には、Ｒ（赤），Ｇ（緑），Ｂ（青）それぞれを表示する画素が繰り返し配列されているものとする。
【０１２７】
液晶パネル５１０は例えば前記図３に示した構成であり、前述のように、対向電極７が、１を含むｅ本（ｅは正の整数）のゲートライン２５ごとに順次、異なるグループ（第１グループ７（Ａ）、第２グループ７（Ｂ）および第３グループ７（Ｃ））に振り分けられている。
【０１２８】
この場合、Ｖｃｏｍ調整回路５１７は、前述のＶｃｏｍ調整回路２６に相当する構成となる。上記の各グループの対向電極７には、Ｖｃｏｍ調整回路５１７よりそれぞれ独立に対向電極電圧Ｃが与えられる。即ち、図１に示したように、第１グループ７（Ａ）には対向電極電圧Ｃ１が与えられ、第２グループ７（Ｂ）には対向電極電圧Ｃ２が与えられ、第３グループ７（Ｃ）には対向電極電圧Ｃ３が与えられる。これにより、前述の構成と同様、液晶パネル５１０の上下方向において広視野角表示が可能となる。
【０１２９】
また、液晶パネル５１０は、図１４および図１５に示したマルチドメイン液晶パネル１０８と同一の構成であってもよい。この場合、Ｖｃｏｍ調整回路５１７は、前述のＶｃｏｍ調整回路１２６に相当する構成となる。
【０１３０】
このような構成では、液晶パネル５１０は、マルチドメイン液晶パネル１０８と同様、対向電極１０７ａ，１０７ｂが、例えば第１グループ１０７（Ａ）、第２グループ１０７（Ｂ）および第３グループ１０７（Ｃ）にグループ分けされ、Ｖｃｏｍ調整回路５１７から各グループの対向電極１０７ａには共通に対向電極電圧Ｃ３が与えられる。さらに、Ｖｃｏｍ調整回路５１７から、第１グループ１０７（Ａ）の対向電極１０７ｂには対向電極電圧Ｃ４が与えられ、第２グループ１０７（Ｂ）の対向電極１０７ｂには対向電極電圧Ｃ５が与えられ、第３グループ１０７（Ｃ）対向電極１０７ｂには対向電極電圧Ｃ６がそれぞれ与えられる。これにより、前述の構成と同様、液晶パネル５１０は上下方向において広視野角表示が可能となる。
【０１３１】
また、液晶パネル５１０は、図１６に示したマルチドメイン液晶パネル２０８と同一の構成であってもよい。この場合、Ｖｃｏｍ調整回路５１７は、前述のＶｃｏｍ調整回路２２６に相当する構成となる。
【０１３２】
このような構成では、液晶パネル５１０は、マルチドメイン液晶パネル２０８と同様、対向電極１０７ａ，１０７ｂが、例えば第１グループ２０７（Ａ）、第２グループ２０７（Ｂ）および第３グループ２０７（Ｃ）にグループ分けされ、Ｖｃｏｍ調整回路５１７から、第１グループ２０７（Ａ）の対向電極１０７ａには対向電極電圧Ｃ３が与えられ、第２グループ２０７（Ｂ）の対向電極１０７ａには対向電極電圧Ｃ２が与えられ、第３グループ２０７（Ｃ）の対向電極１０７ａには対向電極電圧Ｃ１がそれぞれ与えられる。また、Ｖｃｏｍ調整回路５１７から、第１グループ１０７（Ａ）の対向電極１０７ｂには対向電極電圧Ｃ４が与えられ、第２グループ１０７（Ｂ）の対向電極１０７３ｂには対向電極電圧Ｃ５が与えられ、第３グループ１０７（Ｃ）対向電極１０７ｂには対向電極電圧Ｃ６がそれぞれ与えられる。これにより、前述の構成と同様、広視野角表示が可能となる。
【０１３３】
液晶駆動波形としては、図１０および図１１に示したものを使用可能である。
【０１３４】
液晶パネル５１０には、ソースドライバ５１２およびゲートドライバ５１３が接続されており、ソースドライバ５１２およびゲートドライバ５１３はＭＰＵ５１４に接続されている。
【０１３５】
なお、図１７の例では、１個のソースドライバ５１２および１個のゲートドライバ５１３にて液晶パネル５１０を駆動する構成としている。しかしながら、ソースドライバ５１２およびゲートドライバ５１３は、１チップＬＳＩからなる構成、あるいは複数のＬＳＩからなる構成の何れであってもよく、様々な変形が可能である。
【０１３６】
ＭＰＵ５１４は、ソースドライバ５１２に対して、水平同期信号ＬＳ、スタートパルス信号ＳＰ、基準電圧Ｖｃｏｍ（Ｖｒｅｆ）、参照電圧ＶＲ、表示データＤ１および表示メモリ制御信号Ｃｍを出力する。
【０１３７】
ソースドライバ５１２は、周辺回路５１８、基準電圧発生回路（基準電圧生成手段）５２１、ソースドライバ部５２０を備えている。
【０１３８】
周辺回路部５１８は、静止画像データやキャラクタ表示データを表示メモリ５１５，５１６に格納し、かつそれらの読み出し制御を行う回路部である。この周辺回路部５１８は、入出力回路５２２、コマンドデコーダ５２４、Ｘアドレスデコーダ（カラムデコーダ）５２５およびＹアドレスデコーダ（ロウデコーダ）５２６を含む回路５１９を２個と、表示メモリ５１５，５１６とを備えている。
【０１３９】
表示メモリ５１５，５１６は、水平方向ｎ画素×垂直方向ｍ画素分の表示データを格納できるよう構成されている。表示メモリ５１５，５１６は、レジスタ、フラッシュメモリ、ＯＴＰ、ＥＥＰＲＯＭあるいはＦｅＲＡＭ（強誘電体メモリ）等の不揮発性メモリからなる。また、表示メモリ５１５，５１６１は、ＲＯＭ構造のメモリであってもよい。
【０１４０】
表示メモリ５１５，５１６には、静止画像用データやキャラクタ表示データに加えて、階調表示基準電圧を制御する調整データＤ２および対向電極電圧Ｃを制御する調整データＤ３が格納されている。即ち、表示メモリ（補正情報記憶手段）５１５には調整データＤ２が格納されており、表示メモリ（補正情報記憶手段）５１６には調整データＤ３が格納されている。
【０１４１】
表示メモリ５１５では、ＭＰＵ５１４からの表示メモリ制御信号Ｃｍにより調整データＤ２の読み出しが行われ、この調整データＤ２は、基準電圧発生回路５２１に入力される。また、表示メモリ５１６では、ＭＰＵ５１４からの表示メモリ制御信号Ｃｍ１により調整データＤ３の読み出しが行われ、この調整データＤ３はＶｃｏｍ調整回路５１７に入力される。
【０１４２】
なお、調整データＤ３は、例えば、液晶駆動部の電源がオンした際に読み出される一方、調整データＤ２は、１〜ｍ本ごとの走査信号に同期をとって読み出される。このように、調整データＤ２，Ｄ３は、表示メモリ５１５，５１６から読み出されるタイミングが異なるので、図１７においては、便宜上、２個の表示メモリ５１５，５１６を有する構成としている。しかしながら、こられ表示メモリ５１５，５１６は、１個のメモリによっても対応可能である。
【０１４３】
また、図１７では、表示メモリ５１５，５１６において、調整データＤ２，Ｄ３の扱いのみが記載されているものの、静止画像用データやキャラクタ表示用データの扱いも行われる。即ち、サンプリングメモリ回路４２とホールドメモリ回路４３との間に設けられたセレクタ回路（図示せず）により、サンプリングメモリ回路４２からの信号と表示メモリ５１５，５１６からの読み出しデータ（静止画像用データやキャラクタ表示用データ）が選択され、ホールドメモリ回路４３へ入力される。
【０１４４】
ソースドライバ部５２０は、図６に示した前記ソースドライバ部１１に相当するものであり、ソースドライバ部１１と同様の構成を有し、次のように同様の動作を行う。
【０１４５】
ＭＰＵ５１４から送られてくるデジタル表示データＤ１は、例えば各画素に対応する６ビットの値を有しており、入力ラッチ回路４７にて一旦ラッチされる。一方、シフトレジスタ回路４１は、ＭＰＵ５１４から入力されたスタートパルス信号ＳＰを、転送クロック（図示せず）に同期を取りシフトする回路である。
【０１４６】
シフトレジスタ回路４１にてシフトされたスタートパルス信号ＳＰは、例えば８個のソースドライバ部５２０が使用されている場合、８段目である第８ソースドライバ５２０のシフトレジスタ回路４１にまで順次転送される。
【０１４７】
なお、シフトレジスタ回路４１から出力回路４６までの各ブロックは、液晶パネル５１０における第１〜第ｎのｎ本のソース電極に対応してｎ段となっている。
【０１４８】
シフトレジスタ回路４１の各段からの出力に同期して、入力ラッチ回路４７にラッチされていた表示データＤ１は、サンプリングメモリ回路４２の対応する段に一旦記憶されるとともに、次のホールドメモリ回路４３の対応する段に出力される。
【０１４９】
ホールドメモリ回路４３は、１水平同期期間のｎ個の表示データＤ１がサンプリングメモリ回路４２から入力されると、ＭＰＵ５１４からの水平同期信号ＬＳ（ラッチ信号ともいう）に応じて、サンプリングメモリ回路４２から表示データＤ１を取り込み、次のレベルシフタ回路４４に出力する。そして、ホールドメモリ回路４３は、次の水平同期信号ＬＳが入力されるまでこの表示データＤ１を維持する。後の動作は、上述した通りである。
【０１５０】
なお、ＭＰＵ５１４は、表示データＤ１を入力ラッチ回路４７に対して繰り返し送る。これにより、液晶パネル５１０に対して周期的に表示データＤ１に応じた電位が書き込まれ、液晶パネル５１０における液晶表示が維持される。
【０１５１】
基準電圧発生回路５２１は、赤、緑、青色用の液晶駆動電圧出力端子に対し、例えば、６４通り基準電圧を作成し、階調表示用の中間電圧を生成するものである。この回路４８に入力される参照ＶＲは、ＭＰＵ５１４を介して、図示しない外部の液晶駆動電源から供給される電圧である。
【０１５２】
また、基準電圧発生回路５２１には、メモリ制御信号Ｃｍに応じて表示メモリ５１５から読み出された調整データＤ２が入力される。
【０１５３】
ＤＡ変換回路４５は、ホールドメモリ回路４３から入力され、レベルシフタ回路４４にて変換されたＲＧＢそれぞれ６ビットの表示データ信号（デジタル）に応じて、６４通りの中間電圧から選択した電圧を、アナログ信号に変換して出力回路４６に出力する。
【０１５４】
出力回路４６は、６４レベルのアナログ信号を増幅し、液晶パネル５１０へ階調表示電圧として出力する。
【０１５５】
図１８には、本実施の形態における基準電圧発生回路５２１の構成についてのブロック図を示す。
【０１５６】
基準電圧発生回路５２１は、最下位電圧入力端子Ｖ０と最上位電圧入力端子Ｖ６４との２本の電圧入力端子と、基準となるγ補正を行うための抵抗比を有する８個の抵抗素子Ｒ０〜Ｒ７と、この抵抗素子Ｒ０〜Ｒ７によって得られたγ補正後の各基準電圧を一定の範囲で上下に微調整するγ補正調整回路５３１とを有している。
【０１５７】
さらに、最下位電圧入力端子Ｖ０とこれに隣り合うγ補正調整回路５３１の出力端子との間、隣り合うγ補正調整回路５３１の出力端子同士の間、最上位電圧入力端子Ｖ６４とこれに隣り合うγ補正調整回路５３１の出力端子との間に、それぞれ、直列に８個ずつ接続された抵抗、合計６４個の抵抗（図示せず）を有している。これにより、基準電圧発生回路５２１では６４通りの電圧を生成することができる。
【０１５８】
基準電圧発生回路５２１では、上記の構成を有しているので、図１９に示す従来の階調表示のための基準電圧発生回路５４１のように、９本の中間調電圧入力端子Ｖ０〜Ｖ６４を設ける必要が無く、上記中間電圧を当該基準電圧発生回路５２１内で生成し調整することができる。
【０１５９】
図２０は、上記γ補正調整回路５３１の構成を示す概略ブロック図である。γ補正調整回路５３１は、電圧降下を発生させるための１つの抵抗素子Ｒ、２個の定電流源５３４，５３５およびバッファアンプ５４６を備えている。そして、抵抗素子Ｒに電流を流すことによる電圧降下を利用して、入力された電圧を一定の電圧だけ上下にシフトすることによって出力電圧を調整する。このような構成を有するγ補正調整回路５３１は、次のように動作する。
【０１６０】
上記γ補正調整回路５３１の入力端子５３２に、例えば基準となる電圧Ｖｒｅｆが供給される。そして、基準電圧Ｖｒｅｆよりも高い出力電圧あるいは低い出力電圧を得る場合には、定電流源５３４，５３５によって抵抗素子Ｒに流れる電流を変化させ、抵抗素子Ｒによる電圧降下を利用して、入力された電圧を抵抗素子Ｒでの電圧降下の分だけ上または下にシフトした電圧Ｖｏｕｔを出力端子５３３から出力する。
【０１６１】
即ち、上記基準電圧Ｖｒｅｆよりも高い出力電圧Ｖｏｕｔを得る場合には、Ｖｏｕｔ＝Ｖｒｅｆ＋ｉ・Ｒになるように、また、基準電圧Ｖｒｅｆよりも低い出力電圧Ｖｏｕｔを得る場合には、Ｖｏｕｔ＝Ｖｒｅｆ−ｉ・Ｒになるように、γ補正調整回路５３１によって電圧を調整する。
【０１６２】
図２１（ａ）（ｂ）は、上記基準電圧Ｖｒｅｆよりも高い出力電圧Ｖｏｕｔを得る場合（図２１（ａ））、および基準電圧Ｖｒｅｆよりも低い出力電圧Ｖｏｕｔを得る場合（図２１（ｂ））に、定電流源５３４，５３５の動作によって抵抗素子Ｒを流れる電流が変化した状態を示す。
【０１６３】
この場合、図２１（ａ）に示すように、抵抗素子Ｒよりも入力端子５３２側にある定電流源５３４を接地し、出力端子５３３側にある定電流源５３５を電源に接続することによって、抵抗素子Ｒには定電流源５３５から定電流源５３４に向う正の向きの電流ｉが流れる。その結果、入力端子５３２から基準電圧Ｖｒｅｆが入力された場合の出力端子５３３からの出力電圧Ｖｏｕｔは、基準電圧Ｖｒｅｆよりも抵抗素子Ｒでの電圧降下の分だけ高いＶｏｕｔ＝Ｖｒｅｆ＋ｉ・Ｒとなる。
【０１６４】
一方、図２１（ｂ）に示すように、上記定電流源５３４を電源に接続し、定電流源５３５を接地することによって、抵抗素子Ｒには定電流源５３４から定電流源５３５に向う負の向きの電流ｉが流れる。その結果、入力端子５３２から基準電圧Ｖｒｅｆが入力された場合の出力端子５３３からの出力電圧Ｖｏｕｔは、基準電圧Ｖｒｅｆよりも抵抗素子Ｒでの電圧降下の分だけ低いＶｏｕｔ＝Ｖｒｅｆ−ｉ・Ｒとなる。
【０１６５】
そして、個々の上記γ補正調整回路５３１における各定電流源５３４，５３５に関して、電流値を複数値に切り換え可能にし、さらに接地と電源への接続とを切り換え可能にし、上記それぞれの切り換えを上記調整データＤ２に基づいて制御することによって、抵抗素子Ｒ０〜Ｒ７で得られたγ補正電圧を微調整する。こうして微調整された各基準電圧間の電圧は、さらに上記６４個の抵抗のうちの８個によって８等分され、ＤＡ変換回路４５に出力される。
【０１６６】
図２２は、上記各定電流源５３４，５３５に関する電流値の切り換えおよび接地／電源の接続切り換えを実現するγ補正調整回路５３１の定電流源部の回路構成を示す。この定電流源部は、電源に接続されるとともに、ｎを正の整数として、２（ｎ−１）で重み付けされた電流２（ｎ−１）ｉを発生する５個の定電流源ｉ，２ｉ，４ｉ，８ｉ，１６ｉを有する。そして、それぞれの定電流源２（ｎ−１）ｉは、＋２（ｎ−１）の制御信号によってオンするスイッチ＋２（ｎ−１）を介して、抵抗素子Ｒの一端および出力端子４８に接続されている。さらに、−２（ｎ−１）の制御信号によってオンするスイッチ−２（ｎ−１）を介して、抵抗素子Ｒの他端および入力端子５３２に接続されている。
【０１６７】
上記定電流源部は、同様に、接地されるとともに、上記２（ｎ−１）で重み付けされた電流２（ｎ−１）ｉを発生する５個の定電流源ｉ，２ｉ，４ｉ，８ｉ，１６ｉを有する。そして、それぞれの定電流源２（ｎ−１）ｉは、＋２（ｎ−１）の制御信号によってオンするスイッチ＋２（ｎ−１）を介して、抵抗素子Ｒの上記他端および入力端子５３２に接続されている。さらに、−２（ｎ−１）の制御信号によってオンするスイッチ−２（ｎ−１）を介して、抵抗素子Ｒの上記一端および出力端子５３３に接続されている。
【０１６８】
即ち、上記スイッチ＋２（ｎ−１）またはスイッチ−２（ｎ−１）を介して入力端子５３２に接続された定電流源２（ｎ−１）ｉは図２０における定電流源５３４として機能し、スイッチ＋２（ｎ−１）あるいはスイッチ−２（ｎ−１）を介して出力端子５３３に接続された定電流源２（ｎ−１）ｉは図２０における定電流源５３５として機能する。そして、上記ラッチされている２の補数表現による符号付２進数の多ビットディジタルデータである調整データに基づいて、各スイッチ＋２（ｎ―１）およびスイッチ−２（ｎ−１）のオン／オフを制御することによって、定電流源５３４，５３５に関する電流値の切り換えおよび電源／接地の接続切り換えを実現する。
【０１６９】
このような構成とすることにより、γ補正調整回路５３１では、上記抵抗素子Ｒを流れる電流の値と方向とを変化させることがきで、入力電圧Ｖｉｎに対して抵抗素子Ｒに流れる電圧降下の分だけ上にまたは下に複数段にシフトした電圧Ｖｏｕｔを出力することができる。以下、この点に関して具体例を挙げて説明する。
【０１７０】
以下の説明は、上記調整データＤ２が６ビットデータであるものとして行う。このような６ビットで表わされる調整データに基づく調整は、γ補正値に対する調整を−３２〜＋３１の６４段階で行うことを可能にする。
【０１７１】
図２２において、上記定電流源ｉ，２ｉ，４ｉ，８ｉ，１６ｉのそれぞれは、２（ｎ―１）で重み付けされた電流値ｉ，２ｉ，４ｉ，８ｉ，１６ｉを発生する。また、上記各スイッチ＋２（ｎ―１）およびスイッチ−２（ｎ―１）は、上記、調整データＤ２に基づいてオンあるいはオフされる。以下、６ビットの調整データに基づくγ補正調整回路５３１の動作を説明する。
【０１７２】
第１の場合として、上記調整データＤ２が「＋１：（０００００１）」の場合について述べる。この場合には２つのスイッチ＋２０のみがオンし、他の総てのスイッチはオフする。この状態は、図２１（ａ）の状態と同じである。
【０１７３】
即ち、抵抗素子Ｒに流れる電流Ｉｔｏｔａｌは定電流源ｉと同じであり、電流の向きは正である。したがって、出力電圧Ｖｏｕｔは入力された基準電圧Ｖｉｎよりも抵抗素子Ｒでの電圧降下分だけ上昇し、Ｖｏｕｔ＝Ｖｉｎ＋ｉ×Ｒの出力電圧が得られる。これは、入力基準電圧Ｖｉｎよりも（ｉ×Ｒ）だけ高い電圧である。
【０１７４】
また、他の場合として、上記調整データＤ２が「−９：（１０１００１）」の場合に付いて説明する。この場合には、２つのスイッチ−２３および２つのスイッチ−２Ｏの合計４つのスイッチがオンし、他の総てのスイッチはオフする。この状態は、図２１（ｂ）の状態と同じである。
【０１７５】
即ち、抵抗素子Ｒに流れる電流Ｉｔｏｔａｌは定電流源ｉと定電流源８ｉとの電流の和である９ｉとなり、電流の向きは上記負である。したがって、出力電圧Ｖｏｕｔは入力された基準電圧Ｖｉｎよりも抵抗素子Ｒでの電圧降下分だけ下降し、Ｖｏｕｔ＝Ｖｉｎ−９ｉ×Ｒの出力電圧が得られる。これは、入力基準電圧Ｖｉｎよりも（ｉ×Ｒ）の９倍だけ低い電圧である。
【０１７６】
他の調整データの場合においても、上述の動作に準じて、それぞれのスイッチ＋２（ｎ―１），−２（ｎ―１）をオンまたはオフすることによって、入力基準電圧Ｖｉｎを中心として、１段階当り（ｉ×Ｒ）の電圧で−３２〜＋３１の範囲内で６４段階に電圧調整を行うことができる。
【０１７７】
即ち、上記調整データとして２の補数表現による符号付２進数の多ビットディジタルデータを用いることによって、そのビット番号ｎと抵抗素子Ｒに流す電流値の重み（倍率）２（ｎ―１）とをスイッチ＋２（ｎ―１），−２（ｎ−１）を介して対応付けることができる。したがって、調整データＤ２に応じた倍率の調整量を得ることができることになる。即ち、上記調整データによって上記基準値の調整量を簡単に指定することができる。
【０１７８】
以上のように、表示メモリ５１５に格納された調整データＤ２に応じてスイッチ＋２（ｎ―１），−２（ｎ―１）をオン／オフすることによって、入力電圧に対して調整データに基づく調整を行った電圧を出力することができる。
【０１７９】
この調整を抵抗素子Ｒ０〜Ｒ７に基づくγ補正値に適用することによって、図２３に示すように、液晶駆動出力電圧の特性は、抵抗素子Ｒ０〜Ｒ７に基づく補正値を中心としたガンマ変換特性γ１と上記調整データによって調整可能なガンマ変換特性γ２とを得ることができる。このγ１並びにγ２の二つのガンマ特性は、例えば図２４に示すように、１画面内において任意のラインのみ異なるガンマ特性を用いることにより、視野角が最適視野になるように特性を変えることができる。
【０１８０】
なお、表示メモリ５１５は、必要に応じて自由にプログラム等により調整データを書き換えられるものとする。
【０１８１】
図２４は、上記ガンマ変換特性γ１と上記整用データによって調整されたガンマ変換特性γ２とを液晶表示装置５０１に適用した一例を示す。
【０１８２】
図中において、斜線の無い部分は抵抗素子Ｒ０〜Ｒ７に基づく補正値を中心としたガンマ変換特性γ１に対応する信号が入力される画素ドットを示し、斜線部は前記上記整用データによって調整されたガンマ変換特性γ２に対応する信号が入力される画素ドットを示す。なお、画素ドット内の＋−の符号は印加信号の極性を示す。即ち、この例は、ドット反転駆動方式のものであるから、ドット（画素）ごとに極性が反転している。
【０１８３】
また、図２５は図２４で示した液晶表示装置での連続する２つのフレームに対応したγ特性の一例を示す。
【０１８４】
上記図２４および図２５の例では、１画面内の任意のラインに対して２種類の異なるガンマ変換特性γ１，γ２を適用することにより、広視野角化を図っている。しかしながら、上記２種類に限定されることなく、場合によっては３種類以上のガンマ変換特性を適用することで、より広範囲に視野角特性を変えることが可能であることは言うまでもない。
【０１８５】
ここで、上記の図２４および図２５の例において、例えば、中央部側のラインにガンマ変換特性γ１の電圧を印加する一方、上端側のラインと下端側のラインとに同じガンマ変換特性γ２の電圧を印加した場合には、視野角特性が改善され、広視野角が得られる。しかしながら、液晶パネル５１０を上側からみた場合と下側からみた場合とにおいて、特にここで問題となる上下方向の液晶における配向の非対称性（上側からみた液晶の状態と下側からみた液晶の状態）に対して、どちらか一方向のガンマ変換特性にしか補正が効かなくなる。この場合には、視野角特性の改善範囲がやや限定されることになる。
【０１８６】
そこで、図２４および図２５の例では、液晶パネル５１０を上側からみた場合と下側からみた場合とにおいて補正が可能となるように、液晶パネル５１０の上側のラインと下側のラインに異なるガンマ変換特性の電圧を印加するようにしている。例えば、上半分のラインに対してガンマ変換特性γ１の電圧を印加する一方、下半分のラインに対してガンマ変換特性γ２の電圧を印加している。これにより、視角による色変化の補正が可能となり、さらに良好な広視野角特性が得られるようになっている。
【０１８７】
図２６には、液晶パネル５１０に対して３種類のガンマ変換特性γ１，γ２，γ３の電圧を印加する場合の例を示す。この場合には、ガンマ変換特性γ１を基準とし、調整データによって調整されたガンマ変換特性γ２，γ３を使用する。具体的には、ガンマ変換特性γ１の電圧を液晶パネル５１０の中央側のラインに印加する一方、ガンマ変換特性γ２，γ３のうちの一方の電圧を上端側のラインに印加し、他方の電圧を下端側のラインに印加する。
【０１８８】
図２６において、斜線の無い部分は抵抗素子Ｒ０〜Ｒ７に基づく補正値を中心としたガンマ変換特性γ１に対応する信号が入力される画素ドットを示す。斜線部は調整データによって調整されたガンマ変換特性γ２またはγ３に対応する信号が入力される画素ドットを示す。また、画素ドット内の＋−の符号は印加信号の極性を示す。
【０１８９】
図２７には、図２６に示した液晶表示装置での連続する２つのフレームに対応したγ特性の一例を示す。ここでは、連続する２つのフレームの対応する同一画素（ＲＧＢ３画素ドット構成）に対して、極性の反転した電圧であって異なるガンマ変換特性に対応する信号電圧を印加している。
【０１９０】
こうすることにより、ＲＧＢの色バランスを維持し、液晶、配向膜の固定分極に起因する画面の焼き付きを抑えることができる。なお、液晶、配向膜の固定分極は、連続して異なるガンマ特性に対応した電圧を印加した場合に、正負の信号のアンバランスにより発生する残留ＤＣ電圧によるものである。
【０１９１】
上記のように、図２６および図２７の例では、３種類のガンマ変換特性γ１，γ２，γ３を使用し、これらガンマ変換特性γ１，γ２，γ３に対応する信号電圧が、一画面内の任意のラインに印加されている。さらに、次フレームにおいて、上記信号電圧の極性が反転されている。これにより、各視角において最適視野が得られるように輝度特性を変化させることができ、視角の違いによって生じる色変化をさらに適切に補正することが可能となっている。
【０１９２】
図２８にはＶｃｏｍ調整回路５１７の構成についてのブロック図を示す。
Ｖｃｏｍ調整回路５１７は、基準電圧Ｖｃｏｍ（Ｖｒｅｆ）が入力される入力端子５５１と、この入力端子５５１に接続されたバッファアンプ５５２と、基準電圧Ｖｃｏｍを一定の範囲で上下に微調整する複数のＶｃｏｍ調整部５５３を有している。
【０１９３】
Ｖｃｏｍ調整部５５３は、既に図２０において説明したγ補正調整回路５３１と同じ回路構成であるため、その構成についての説明は省略する。また、動作説明については図２０および図２８を使用して簡単に行う。
【０１９４】
Ｖｃｏｍ調整回路５１７の入力端子５３２には、例えば基準となる電圧Ｖｃｏｍ（Ｖｒｅｆ）が外部より供給される。そして、該基準電圧Ｖｃｏｍ（Ｖｒｅｆ）よりも高い出力電圧あるいは低い出力電圧を得る場合には、定電流源５３４，５３５によって抵抗素子Ｒに流れる電流を、抵抗素子Ｒによる電圧降下を利用して変化させる。これにより、入力された基準電圧Ｖｃｏｍを抵抗素子Ｒでの電圧降下の分だけ上または下にシフトした電圧Ｖｏｕｔを出力端子５３３から出力する。
【０１９５】
即ち、基準電圧Ｖｃｏｍ（Ｖｒｅｆ）よりも高い出力電圧Ｖｏｕｔを得る場合には、Ｖｏｕｔ＝Ｖｒｅｆ＋ｉ・Ｒになるように、また、基準電圧Ｖｃｏｍ（Ｖｒｅｆ）よりも低い出力電圧Ｖｏｕｔを得る場合には、Ｖｏｕｔ＝Ｖｒｅｆ−ｉ・Ｒになるように、Ｖｃｏｍ調整回路５１７によって電圧を調整する。
【０１９６】
Ｖｃｏｍ調整回路５１７からの出力、即ち対向電極電圧Ｃを含む液晶駆動波形については図１０および図１１に示した通りである。図２８に示した構成のＶｃｏｍ調整回路５１７からは対向電極電圧Ｃ１〜Ｃ３が出力され、これら対向電極電圧Ｃ１〜Ｃ３は、例えば図１に示した回路において、それぞれ第１グループ７（Ａ）〜第３グループ７（Ｃ）の対向電極７に供給される。
【０１９７】
この場合、第２グループ７（Ｂ）には基準となる対向電極電圧Ｃ２が与えられ、第１グループ７（Ａ）、第３グループ７（Ｃ）には、対向電極電圧Ｃ２よりも高いまたは低い対向電極電圧Ｃ１またはＣ３が与えられる。したがって、液晶パネル５１０の上下方向において広い範囲の視野を得ることができる。
【０１９８】
ゲートドライバ５１３は、シフトレジスタ回路５６１、レベルシフタ回路５６２および出力回路５６３を含んでいる。ゲートドライバ５１３では、シフトレジスタ回路５６１に水平同期信号ＬＳおよび垂直同期信号ＶＳが入力され、水平同期信号ＬＳをクロックとして垂直同期信号ＶＳをシフトレジスタ回路５６１内の各段で順次転送させる。
【０１９９】
シフトレジスタ回路５６１の各段からの出力は、液晶パネル５１０における各列に含まれる第１〜第ｍの画素、つまり第１〜第ｍのゲート電極にそれぞれ対応している。シフトレジスタ回路５６１の各段からの出力は、レベルシフタ回路５６２でレベル変換されることにより各画素が有するＴＦＴ２３のゲートを制御できる電圧まで昇圧され、出力回路５６３で低インピーダンス変換されて、レベルシフタ回路５６２から液晶パネル５１０の第１〜第ｍのゲート電極それぞれに対して出力される。このゲートドライバ５１３からの出力が走査信号となり、液晶パネル５１０の各画素におけるＴＦＴ２３のゲートのオン／オフを制御する。
【０２００】
これにより、走査信号で選択された１本のゲートライン（ゲート電極）２５にゲートが接続されているＴＦＴ２３がオンされる。そして、１水平同期期間ごとにゲートライン２５が順次選択されることで、オンされるＴＦＴ２３を有する画素が順次垂直方向に移動する。
【０２０１】
走査信号により選択されてＴＦＴ２３がオンされた画素では、その画素に備えられた画素容量２２にソースライン（ソース電極）２４から階調表示用電位が付与される。これにより、その電位に応じて画素容量２２が充電され、ＴＦＴ２３がオフになると、画素容量２２にて電位が保持されることで画素における階調表示がなされる。
【０２０２】
以上、表示メモリ５１５に格納された調整データＤ２に応じて抵抗素子Ｒ０〜Ｒ７でのγ補正値を調整する制御手段（基準電圧発生回路５２１）と、表示メモリ５１６に格納された調整データＤ３に応じて対向電極電圧Ｃを調整する制御手段（Ｖｃｏｍ調整回路５１７）とを備え、これらにより１フレーム内の任意のラインにおいてそれぞれの調整を行うことにより、各視角において最適視野が得られるように輝度特性を変化させることができ、視角の違いによって生じる色変化を補正することが可能となっている。
【０２０３】
ここで、本発明の実施の形態において、下記の点についてさらに説明を加えておく。
【０２０４】
対向電極への印加電圧と視野との関係について、液晶の視野角は液晶に印加される駆動電圧の大きさにより変化する。即ち、液晶に印加する電圧を変化させると液晶分子の傾斜角度が変化し、傾斜角度によって明るさが決まる。したがって、液晶は印加される階調電圧の大きさに従って最大の明るさになる角度が変化する。
【０２０５】
例えば、画面の上方向から下方向に移動しながら画像を観察すると、最初は画像が全体的に暗いが、正面に近づくに連れて明るくなり、ある点に到達すれば最も鮮明に見える点がある。この点を過ぎると再度、暗くなり始める。したがって、それぞれの階調電圧を増加させあるいは減少させることにより、最も鮮明に見える角度を変化させることができる。なお、増加させたり減少させたり、またはそれぞれどの程度、変化させるかは液晶の種類にしたがって固有値が決まると考えられる。そこで、本発明においては、階調電圧に対し対向電極を複数に分割しそれらを独立に制御することで、見る方向（視角）によらず見える状態が均一になるように表示をコントロールする。これにより視野角の拡大化を図るようにしている。
【０２０６】
図２９は、液晶パネルの１つの画素について、その輝度（透過率）と視角φの関係を示す。例えば、液晶セルの印加電圧を３Ｖとすると、当該画素を正面から見たとき（φ＝０゜）に比べて見下ろした（φ＝−３０゜）のときの方が明るく見え、また、同じく正面から見たときに比べて見上げた（φ＝＋３０゜）方が暗く見える。
【０２０７】
即ち、液晶パネルの縦（上下）方向（ゲートライン並び方向）の明るさが不均一になるといった不具合があり、これは特に、視角φの大きい大画面液晶を作る場合の障害になる。なお、液晶パネルの左右方向についても同様な不具合を生じる。
【０２０８】
大画面表示の場合には、図３０（ａ）に示すように、上記の問題が顕著となり、画面の上部、下部で見る人からの視野角が異なることになる。したがって、このような場合に本発明は特に有効であり、図３０（ｃ）に示すソースドライバの構成により、図３０（ｂ）に示すように上記従来の問題を適切に解決可能である。
【０２０９】
マルチドメイン液晶に関し、この液晶は、図３１に示すように、通常、副画素ａと副画素ｂとからなる。このマルチドメイン液晶を主視角方向から観測した画素の光量−信号電圧特性の一例を図３２（ａ）（ｂ）に示す。
【０２１０】
図３１において、例えば副画素ａは従来と同じ特性であるが、副画素ｂは、任意の手段を用いて液晶層に低い電圧が印加されることにより、副画素ａに対して任意の電圧だけ高信号電圧（高駆動電圧）側にシフトした特性を示す。本発明においては、各副画素ａ，ｂの対向電極を複数に分割し、独立制御できる構成とており、見る方向（視角）によらず見える状態が均一となるように光量を制御する。
【０２１１】
１つの画素の光量はこの２つの副画素ａ，ｂでの光量が足し合わさるため、従来、各副画素ａ，ｂにおいては、高信号電圧側に階調反転現象の要因となるピークが存在していた。
【０２１２】
これに対し、本願発明において、副画素ａ，ｂの足し合わさった１画素の特性は、各々の副画素のピークが互いに打ち消し合うため、単調減少する滑らかなカーブとなる。これによって、従来観測された階調反転現象はなくなる。また、１画素の光量−信号電圧カーブは、従来に比べて傾きが緩くなる。よって、視線を主視角方向に傾けることによって、光量−信号電圧カーブは低信号電圧（低駆動電圧）側へシフトする。この電圧のシフト量は従来の構成と変わらないため、階調表示させた場合において、本発明の各レベル間の光量差は、従来の構成の各レベル間の光量差に比べて均一になる。これによって、従来観測された黒つぶれ現象が緩和され、表示性能が改善される。
【０２１３】
表示メモリ５１５，５１６が格納する静止画像データおよびキャラクタ表示データに関し、液晶表示装置では、例えば、常にコントローラを介して画像データを転送させて表示するのではなく、静止画像を表示させる場合は、一旦メモリに１フレーム分の画像データを格納しておき、この画像データをアクセスして繰り替えし出力することで、静止画を表示させている。また、キャラクタ表示（予めメモリに格納しておくキャラクタ）も同じように扱われる。
【０２１４】
次に「ガンマ補正値」と「視野」との関連性について説明する。
上述のように、液晶の視野角は液晶に印加される印加電圧の大きさにより変化する（液晶に印加する電圧を変化させると液晶分子の傾斜角度が変化し、傾斜角度によって明るさが決まる）。即ち、液晶は印加される駆動電圧の大きさに従って最大の明るさになる角度が変化する。
【０２１５】
図３３（ａ）（ｂ）は、液晶表示装置において視野角分布を互いに異なる所定の状態に調整した場合を示す図面であり、図３４は、本発明の実施形態に従う広視野角駆動回路により表現される視野角分布の一例を示すものである。
【０２１６】
例えば、階調電圧の分布を適切に調整して図３３（ａ）のような視野角分布を有するようにすれば、画面の上側（楕円部）から見て画面が鮮明に見える。また、図３３（ｂ）のように調整すれば、画面の下側（楕円部）から見て画面が鮮明に見える。よって、互いに違う視野角を有する。
【０２１７】
このような構成において、液晶パネルに正対したときに、パネルの上方から下方に目の位置を移動させるに連れて「暗」から「明」に変化して見えるような液晶パネルの場合には、ゲートライン（走査ライン）２５の番号順に「明」から「暗」へと徐々に輝度を変化させ得るような調整データの配列を有する特性データを設定する。ゲートライン２５の番号順に不揮発性メモリから読み出された調整データによって、基準電圧のγ値が補正されるため、液晶パネルに正対した場合に限り、液晶パネルの縦方向の輝度が均一化して見える。
【０２１８】
また、逆に液晶パネルの下方から上方に目の位置を移動させるに連れて「明」から「暗」に変化して見えるような液晶パネルの場合には、ゲートライン２５の番号順に「暗」から「明」へと徐々に輝度を変化させ得るような調整データの配列を有する特性データを設定することにより、液晶パネルの縦方向の輝度を均一化して見ることができる。
【０２１９】
次に、「最適視野」を得るための、ガンマ補正値を変更すべきラインおよびその補正値の例について説明する。
【０２２０】
不揮発性メモリ（表示メモリ５１５，５１６）は、タイプの異なる複数の上記特性データを格納するもので、各特性データは、ゲートライン２５の番号順（または代表番号順）にアドレスが付与された多数の単位データからなり、その単位データの各々が発明の実施の形態に記載の調整データＤ２若しくはＤ３に相当する。この不揮発性メモリによれば、例えば制御信号に従って１つの特性データが選択され、選択された特性データの中の１つの単位データ（調整データ）が前記信号に従って読み出される。符号Ｄ２並びにＤ３は読み出された基本調整データを表している。
【０２２１】
基準電圧発生回路５２１の中のγ補正調整回路５３１は、不揮発性メモリから読み出された調整データＤ２に基づいて基準電圧を調整するものである。また、Ｖｃｏｍ調整回路５１７の中のＶｃｏｍ調整部５５３は、不揮発性メモリから読み出された調整データＤ３に基づいてＶｃｏｍ基準電圧を調整するものである。
【０２２２】
したがって、不揮発性メモリは、ゲートライン２５の各番号または代表番号ごとの基本調整データを保持する保持手段に相当するものであり、また、調節データは、基準電圧のγ値加減調節と対向電極（共通電極）の基準電圧値を調整するものである。このような構成において、不揮発性メモリに格納するそれぞれの特性データは、液晶パネルと目線（視線）との関係に基づいて設定される。
【０２２３】
例えば、液晶パネルに正対したときに、パネルの上方から下方になるにつれて「暗」から「明」に変化して見えるような液晶パネルの場合には、ゲートライン２５の番号順に「明」から「暗」へと徐々に輝度を変化させ得るような調整データの配列を有する特性データを設定する。この特性データを選択すると、ゲートライン２５の番号順に不揮発性メモリから読み出された調整データによって、基準電圧のγ値と対向電極（共通電極）の基準電圧値とが補正されるため、液晶パネルに正対した場合に限り、液晶パネルの縦方向の輝度が均一化して見える。
【０２２４】
また、同様にパネルの下方から上方になるにつれて「明」から「暗」に変化して見えるような液晶パネルの場合には、ゲートライン２５の番号順に「暗」から「明」へと徐々に輝度を変化させ得るような調整データの配列を有する特性データを設定する。この特性データを選択すると、ゲートライン２５の番号順に不揮発性メモリから読み出された調整データによって、基準電圧のγ値と対向電極（共通電極）の基準電圧値とが補正されるため、液晶パネルに正対した場合に限り、液晶パネルの縦方向の輝度が均一化して見える。
【０２２５】
また、本発明の実施の形態では、１フレーム内において上側のゲートライン２５と下側のゲートライン２５についてそれぞれガンマ特性を異ならせている（図２４）ことにより、所定のラインのみ異なるガンマ特性を持たせることができるため、視野角が最適視野になるよう表示特性を変えることができる。
【０２２６】
次に、１〜Ｍ本のゲートライン２５毎にγ補正を変える理由について説明する。
【０２２７】
上記のように、液晶の視野角は液晶に印加される駆動電圧の大きさにより変化する。したがって、階調電圧の分布を調整すれば、一つの表示装置において、図３３（ａ）または図３３（ｂ）に示すように、互いに異なる視野角を有した表示状態に設定することができる。
【０２２８】
また、γ特性を上下のゲートライン２５において調整することにより、画面全体を見る人間の目は光の平均的な性質（パネル特性のばらつき吸収や上下方向での見え方の均一化など）を持ち、図３４に示すように、上下の視野角が加えられて広くなるように感ずる。
【０２２９】
また、従来技術を示す図３５および図３６のように、人から見て画面上部と下部との間で生じる視野角特性の異なりは大画面になるほど顕著となり、無視できなくなる。
【０２３０】
この場合、従来技術では、図３６に示すように、ソースドライバにおいて抵抗分割回路にて分割した電圧（固定された電圧）に基づき、液晶パネルへの印加電圧を作成しているので、γ特性は、例えば図３７の特性に固定される。このため、γ特性を変えるには、新規にソースドライバを作り変える必要がある。
【０２３１】
これに対し、本発明の実施の形態の構成では、図３８（ａ）（ｂ）に示すように、ソースドライバにおいて予めγ補正調整回路で調整した電圧（適宜調整可能な電圧）に基づき、液晶パネルへの印加電圧を作成しているので、γ特性を適宜調整可能である。
【０２３２】
以上のように、本実施の形態の液晶表示装置は、図３９に示すように、対向電極分割による均一表示技術と不揮発メモリ内蔵によるγ調整技術とを備えたものとなっている。
【０２３３】
次に、表示メモリ５１５，５１６の構成例について示す。
表示メモリは、特に制限されないものの、図４０に示すように、例えば、縦方向（Ｙ方向）にＬ行、横方向（Ｘ方向）にｍ列×Ｋビットのメモリセルからなるメモリアレイを備えた構成とすることができる。さらに、表示メモリの周辺に設けられた、図示しないＹアドレスを発生するＹアドレス発生回路と、このＹアドレス発生回路から出力されたアドレスデータに基づき１行のデコード信号を出力するＹデコーダと、制御信号（ｎｂｉｔ）に基づき１列×Ｋビットのデコード信号を出力するＸデコーダからなる構成とすることができる。
【０２３４】
この表示メモリは液晶パネルの特性にあわせて予め初期化（書き込み）を行う。書き込まれたアドレスデータについて、例えばＹアドレス発生回路は水平同期信号Ｈに同期して順次カウントアップし、ＹデコーダはＹアドレス発生回路から出力されたアドレスデータに基づき、Ｌ行のうちの１行を選択する。
【０２３５】
一方、Ｘデコーダは制御信号（ｎｂｉｔの信号）に基づき、水平同期信号Ｈに同期してｍ列のうちの１列×Ｋビットのデコード信号を選択する。選択されたＫビットのデータは調整データＤ２として出力され、基準電圧発生回路５２１に入力される。図４１には、以上の動作についての簡単なタイミングチャートを示す。
【０２３６】
なお、図４０および図４１では、１ゲートライン２５毎に調整データＤ２を出力する例を示しているが、勿論複数ゲートライン２５毎に調整データＤ２を変化させても良い。その場合は、アドレスカウンタにより所定の複数アドレスが入力するとメモリのアドレスがカウントアップするように設定すれば良く、既知の技術で構成できるものである。
【０２３７】
以上のように、本発明の液晶表示装置は、配向構造を有さない光学的および構造的に等方向の一対の基板と、該一対の共通電極基板間に挟持された液晶層とを有し、行と列方向に画素が配列され、前記液晶層の液晶分子の配向方向は基板面内方向に関して巨視的にはほぼあらゆる方向に等確率で分布し、基板と垂直な方向に関してほぼ一定のツイスト角を示すマルチドメイン液晶素子を使用するものであって、前記マルチドメイン液晶と視角方向の輝度特性に合わせて、前記共通電極基板の電圧を制御する制御手段を備えたことを特徴としている。
【０２３８】
本発明の液晶表示装置の駆動方法は、配向構造を有さない光学的および構造的に等方向の一対の基板と、該一対の共通電極基板間に挟持された液晶層とを有し、行と列方向に画素が配列され、前記液晶層の液晶分子の配向方向は基板面内方向に関して巨視的にはほぼあらゆる方向に等確率で分布し、基板と垂直な方向に関してほぼ一定のツイスト角を示すマルチドメイン液晶素子を使用した液晶表示装置の駆動方法であって、前記マルチドメイン液晶と視角方向の輝度特性に合わせて、前記共通電極基板の電圧を制御することを特徴としている。
【０２３９】
【発明の効果】
以上のように、本発明の液晶表示装置は、複数の走査線、およびこれら走査線と交差するように設けられた複数の信号線を有し、これら両線の各交差部に対応した画素毎に、画素電極と共通電極と液晶層とを有する画素容量が形成され、前記液晶層の液晶分子は、液晶パネル全体として配向方向がランダムであり、かつ液晶層を挟持する基板と垂直な方向においてほぼ一定のツイスト角を示す液晶表示装置において、前記共通電極に共通電極電圧を供給するとともに、この共通電極電圧を調整可能な共通電極電圧供給手段を備えていることを特徴としている。
【０２４０】
また、本発明の液晶表示装置の駆動方法は、複数の走査線、およびこれら走査線と交差するように設けられた複数の信号線を有し、これら両線の各交差部に対応した画素毎に、画素電極と共通電極と液晶層とを有する画素容量が形成され、前記液晶層の液晶分子は、液晶パネル全体として配向方向がランダムであり、かつ液晶層を挟持する基板と垂直な方向においてほぼ一定のツイスト角を示す液晶表示装置の駆動方法において、前記共通電極に共通電極電圧を供給し、かつこの共通電極電圧を調整することを特徴としている。
【０２４１】
上記の構成によれば、共通電極に供給する共通電極電圧を適宜調整することにより、表示画面に対する任意の位置からの視野角が広視野角となるように、画素の輝度の調整や画素の色変化の補正を行うことができる。これにより、適切に広視野角表示が可能となる。
【０２４２】
また、上記のように、画素の輝度の調整や画素の色変化の補正は、共通電極に供給する共通電極電圧を調整することにより行っているので、ＴＦＴ製造工程を複雑にすること、あるいは駆動回路を作り変えることが不要である。したがって、低コストの構成にて高機能の液晶表示装置を得ることができる。さらに、液晶材料や液晶表示装置の特性に合わせて視角による色変化の補正を容易に行うことができるので、特性の異なる種々の液晶表示装置にも対応可能である。
【０２４３】
上記の液晶表示装置において、各画素の前記共通電極は複数のグループに振り分けられ、前記共通電極電圧供給手段は、共通電極電圧を前記グループごとに独立に調整可能である構成としてもよい。
【０２４４】
また、上記の液晶表示装置の駆動方法は、各画素の前記共通電極を複数のグループに振り分け、前記共通電極電圧をそれらグループごとに独立に調整する構成としてもよい。
【０２４５】
上記の構成によれば、例えば上下方向での画面を見る位置によって視野角が異なるという特性の液晶表示装置に対して、共通電極を上記のようにグループ分けし、グループごとに共通電極電圧を調整することにより、例えば上下方向での画面を見る位置での視野角を適切に調整することができる。
【０２４６】
上記の液晶表示装置は、前記走査線を駆動する走査線駆動手段と、前記走査線駆動手段に供給する、表示信号階調表示用の複数レベルの基準電圧を生成するとともに、この基準電圧を調整可能な基準電圧生成手段とを備えている構成としてもよい。
【０２４７】
また、上記の液晶表示装置の駆動方法は、表示信号階調表示用の複数レベルの基準電圧を生成し、かつこの基準電圧を調整する構成としてもよい。
【０２４８】
上記の構成によれば、表示信号階調表示用の複数レベルの基準電圧を生成し、かつこの基準電圧を調整するようにしているので、多数の階調電圧を多数の抵抗素子やスイッチにより生成する構成に対して、階調表示のための回路の合理化や共有化により、同回路を簡素化することができる。
【図面の簡単な説明】
【図１】本発明の実施の一形態におけるＴＦＴ方式の液晶パネルの構成を示す回路図で
ある。
【図２】図１に示した液晶パネルを備えた液晶表示装置の構成を示すブロック図である
。
【図３】図１に示した液晶パネルのドライバを除いて示す回路図である。
【図４】一般的な液晶駆動波形の一例を示す波形図である。
【図５】図４に示した液晶駆動波形の他の例であって、図４の場合よりも液晶層に印加
される電圧が低い場合の波形図である。
【図６】図２に示した液晶表示装置のソースドライバが備えるソースドライバ部の構成
を示すブロック図である。
【図７】図１に示したＶｃｏｍ調整回路の構成を示す概略のブロック図である。
【図８】図８（ａ）は、図７に示したＶｃｏｍ調整回路における定電流源の動作を示すものであって、基準電圧よりも高い出力電圧を得る場合の説明図、図８（ｂ）は、同基準電圧よりも低い出力電圧を得る場合の説明図である。
【図９】図７に示した定電流源の構成を示す回路図である。
【図１０】図２に示した液晶表示装置における液晶駆動波形の一例を示す波形図である。
【図１１】図１０に示した液晶駆動波形の他の例であって、図１０の場合よりも液晶層に印加される電圧が低い場合の波形図である。
【図１２】図１に示したＶｃｏｍ調整回路から液晶パネルへの対向駆動電圧の印加状態を示す模式図である。
【図１３】図１に示したＶｃｏｍ調整回路から液晶パネルへの連続する２つのフレームにおける対向駆動電圧の印加状態を示す模式図である。
【図１４】マルチドメイン液晶パネルにおける１画素分の液晶表示素子の構成を示す回路図である。
【図１５】図１の液晶パネルの構成をマルチドメイン液晶パネルに適用した場合の構成を示す回路図である。
【図１６】図１５に示した構成の他の例を示す液晶パネルの回路図である。
【図１７】本発明の実施の他の形態におけるＴＦＴ方式の液晶表示装置の構成を示すブロック図である。
【図１８】図１７に示した基準電圧発生回路の構成を示す概略のブロック図である。
【図１９】図１８のものと比較する従来の基準電圧発生回路の構成を示す概略のブロック図である。
【図２０】図１８に示したγ補正調整回路の構成を示すブロック図である。
【図２１】図２１（ａ）は、図２０に示したγ補正調整回路における定電流源の動作を示すものであって、基準電圧よりも高い出力電圧を得る場合の説明図、図２１（ｂ）は、同基準電圧よりも低い出力電圧を得る場合の説明図である。
【図２２】図２０に示した定電流源の構成を示す回路図である。
【図２３】図２１に示した基準電圧発生回路における階調表示データ（デジタル入力）と液晶駆動出力電圧（アナログ電圧）との関係（γ補正特性）を示すグラフである。
【図２４】図２３に示したγ補正特性γ１，γ２を液晶パネルの各画素に適用した状態を示す模式図である。
【図２５】図２３に示したγ補正特性γ１，γ２を液晶パネルの各画素に適用した場合の連続する２つのフレームでの液晶パネルの状態を示す模式図である。
【図２６】図２４に示した処理の他の例を示すものであって、３種類のγ補正特性γ１，γ２，γ３を液晶パネルの各画素に適用した状態を示す模式図である。
【図２７】図２６に示した３種類のγ補正特性γ１，γ２，γ３を使用する場合における連続する２つのフレームでの液晶パネルの状態を示す模式図である。
【図２８】図１７に示したＶｃｏｍ調整回路の構成を示す概略のブロック図である。
【図２９】液晶パネルの１画素での各視角φにおける、液晶セルへの印加電圧と輝度（透過率）との関係を示すグラフである。
【図３０】図３０（ａ）は、大画面表示の場合に顕著となる、液晶パネルの上部と下部とで視野角が異なることの説明図、図３０（ｂ）は図３０（ａ）の状態を解消した本発明の液晶表示装置を示す説明図、図３０（ｃ）は図３０（ａ）の問題を解決するためのソースドライバの構成を示す概略のブロック図である。
【図３１】液晶パネルにおける２個の副画素を有する１画素の構成を示す回路図である。
【図３２】図３２（ａ）は、図３１に示した画素における信号電圧と画素の光量との関係を示すグラフ、図３２（ｂ）は図３２（ａ）のグラフにおいて画素の光量の一部の範囲を拡大して示すグラフである。
【図３３】図３３（ａ）は、液晶表示装置において視野角分布を所定の状態に調整した場合を示すものであって、画面の上側から見て画面が鮮明に見えるようにした場合を示す説明図、図３３（ｂ）は同調整により画面の下側から見て画面が鮮明に見えるようにした場合を示す説明図である。
【図３４】図３３（ａ）（ｂ）に示した両視野角分布の調整によって得られる本発明の視野角分布の一例を示す説明図である。
【図３５】従来の大画面の液晶表示装置において、上からと下方からとの見る位置の違いにより視野角特性が異なる状態を示す説明図である。
【図３６】抵抗分割回路にて分割した電圧そのままを使用して液晶パネルへの印加電圧を作成する従来のソースドライバの構成とそれによる液晶パネルでの表示状態を示す説明図である。
【図３７】図３６の構成により固定されたγ特性を示すグラフである。
【図３８】図３８（ａ）は、予めγ補正調整回路で調整された電圧に基づき、液晶パネルへの印加電圧を作成する本発明の実施の形態のソースドライバの構成とそれによる液晶パネルでの表示状態を示す説明図、図３８（ｂ）は、上記ソースドライバにおいてγ補正された電圧を液晶パネルに印加する状態を示す説明図である。
【図３９】本発明の実施の形態の液晶表示装置において、対向電極分割による均一表示技術と不揮発メモリ内蔵によるγ調整技術とを備えたことを示す説明図である。
【図４０】本発明の実施の形態の液晶表示装置が備える表示メモリの構成を示す説明図である。
【図４１】本発明の実施の形態の液晶表示装置が備える表示メモリの構成を示す説明図である。図４０に示した表示メモリの動作を示すタイミングチャートである。
【図４２】図４２（ａ）は、液晶パネルの表裏面における液晶分子の配向方向を示す説明図、図４２（ｂ）は、図４２（ａ）の設定における上面から見た液晶分子の配向状態を示す説明図、図４２（ｃ）は、図４２（ａ）の設定における左右方向から見た液晶分子の配向状態を示す説明図、図４２（ｄ）は、図４２（ａ）の設定における上下方向から見た液晶分子の配向状態を示す説明図である。
【図４３】図４２（ａ）の設定において、正面および上下方向から液晶パネルを見た場合の、液晶への印加電圧と輝度との関係を示すグラフである。
【符号の説明】
１，５０１                  液晶表示装置
２，１０２  ２０２，５１２    ソースドライバ（信号線駆動手段）
３，１０３  ５１３            ゲートドライバ（走査線駆動手段）
４              コントローラ
５              液晶駆動電源
７，１０７ａ，１０７ｂ    対向電極
８，５１０                液晶パネル
１１              ソースドライバ部
１２                ゲートドライバ部
２１              画素電極
２２              画素容量
２３              ＴＦＴ
２４              ソースライン（信号線）
２５              ゲートライン（走査線）
２６，１２６，２２６，５１７  Ｖｃｏｍ調整回路（共通電極電圧供給手段）
５１，５２，５３４，５３５    定電流源
５３，５３６，５５２          バッファアンプ
１０８              マルチドメイン液晶パネル
５１５，５１６                表示メモリ（補正情報記憶手段）
５２１              基準電圧発生回路（基準電圧生成手段）
５３１              γ補正調整回路
５５３          Ｖｃｏｍ調整部
【図１】
2004191581.tif 000003
【図２】
2004191581.tif 000004
【図３】
2004191581.tif 000005
【図４】
2004191581.tif 000006
【図５】
2004191581.tif 000007
【図６】
2004191581.tif 000008
【図７】
2004191581.tif 000009
【図８】
2004191581.tif 000010
【図９】
2004191581.tif 000011
【図１０】
2004191581.tif 000012
【図１１】
2004191581.tif 000013
【図１２】
2004191581.tif 000014
【図１３】
2004191581.tif 000015
【図１４】
2004191581.tif 000016
【図１５】
2004191581.tif 000017
【図１６】
2004191581.tif 000018
【図１７】
2004191581.tif 000019
【図１８】
2004191581.tif 000020
【図１９】
2004191581.tif 000021
【図２０】
2004191581.tif 000022
【図２１】
2004191581.tif 000023
【図２２】
2004191581.tif 000024
【図２３】
2004191581.tif 000025
【図２４】
2004191581.tif 000026
【図２５】
2004191581.tif 000027
【図２６】
2004191581.tif 000028
【図２７】
2004191581.tif 000029
【図２８】
2004191581.tif 000030
【図２９】
2004191581.tif 000031
【図３０】
2004191581.tif 000032
【図３１】
2004191581.tif 000033
【図３２】
2004191581.tif 000034
【図３３】
2004191581.tif 000035
【図３４】
2004191581.tif 000036
【図３５】
2004191581.tif 000037
【図３６】
2004191581.tif 000038
【図３７】
2004191581.tif 000039
【図３８】
2004191581.tif 000040
【図３９】
2004191581.tif 000041
【図４０】
2004191581.tif 000042
【図４１】
2004191581.tif 000043
【図４２】
2004191581.tif 000044
【図４３】
2004191581.tif 000045